(57)【特許請求の範囲】
【請求項１】
装置が１つまたは複数のワイヤレスデバイスとデータを通信するべき時間期間を識別する、制限されたアクセスウィンドウ（ＲＡＷ）のメッセージを前記装置により生成することと、前記メッセージは、前記時間期間中のワイヤレス通信の流れ方向を示すインジケータをさらに備え、前記メッセージは前記ウィンドウの満了時間をさらに含み、前記満了時間はビーコン間隔の数に基づいて示される、
ここにおいて、前記インジケータは優先順位インジケータであり、前記優先順位インジケータは、前記時間期間中に通信されたアップリンクデータとダウンリンクデータとの間の優先順位を示す、
前記装置により、前記生成されたメッセージを送信することと
を備える、ワイヤレス通信用の方法。
【請求項２】
前記インジケータが、前記時間期間中に通信された前記データがアップリンクデータかダウンリンクデータかを示す、請求項１に記載の方法。
【請求項３】
前記インジケータが、前記時間期間中に通信された前記データがアップリンクデータか、ダウンリンクデータか、または双方向データかを示す、請求項１に記載の方法。
【請求項４】
前記ワイヤレス通信の流れ方向のインジケータが、１ビットまたは２ビットのビット長を有する、請求項１に記載の方法。
【請求項５】
装置が１つまたは複数のワイヤレスデバイスとデータを通信するべき時間期間を識別する、制限されたアクセスウィンドウ（ＲＡＷ）のメッセージを生成するための手段と、前記メッセージは、前記時間期間中のワイヤレス通信の流れ方向を示すインジケータを備えるようにさらに生成され、前記メッセージは前記ウィンドウの満了時間をさらに含み、前記満了時間はビーコン間隔の数に基づいて示され、ここにおいて、前記インジケータは優先順位インジケータであり、前記優先順位インジケータは、前記時間期間中に通信されたアップリンクデータとダウンリンクデータとの優先順位を示す、
前記生成されたメッセージを送信するための手段と
を備える、ワイヤレス通信用の装置。
【請求項６】
前記インジケータが、前記時間期間中に通信された前記データがアップリンクデータかダウンリンクデータかを示す、請求項５に記載の装置。
【請求項７】
前記インジケータが、前記時間期間中に通信された前記データがアップリンクデータか、ダウンリンクデータか、または双方向データかを示す、請求項５に記載の装置。
【請求項８】
第１のデバイスが１つまたは複数の第２のデバイスとデータを通信する時間期間を識別する、制限されたアクセスウィンドウ（ＲＡＷ）のメッセージを装置により受信することと、前記メッセージは、ワイヤレス通信の流れ方向を示すインジケータをさらに備え、前記メッセージは前記ウィンドウの満了時間をさらに含み、前記満了時間はビーコン間隔の数に基づいて示される、
ここにおいて、前記インジケータは優先順位インジケータであり、前記優先順位インジケータは、前記時間期間中に通信されたアップリンクデータとダウンリンクデータとの優先順位を示す、
前記制限されたアクセスウィンドウ（ＲＡＷ）のメッセージを復号することと、
前記装置により、前記ワイヤレス通信の流れ方向のインジケータに基づいて、前記第１のデバイスとデータを通信することと
を備える、ワイヤレス通信の方法。
【請求項９】
前記制限されたアクセスウィンドウ（ＲＡＷ）のメッセージを復号して、通信された前記データがアップリンクデータかダウンリンクデータかを決定することをさらに備える、請求項８に記載の方法。
【請求項１０】
前記制限されたアクセスウィンドウ（ＲＡＷ）のメッセージを復号して、通信された前記データがアップリンクデータか、ダウンリンクデータか、または双方向データかを決定することをさらに備える、請求項８に記載の方法。
【請求項１１】
前記受信されたＲＡＷメッセージの１ビットまたは２ビットのいずれかに基づいて、前記ワイヤレス通信の流れ方向のインジケータを復号することをさらに備える、請求項８に記載の方法。
【請求項１２】
第１のデバイスが１つまたは複数の第２のデバイスとデータを通信する時間期間を識別する、制限されたアクセスウィンドウ（ＲＡＷ）のメッセージを受信するための手段と、前記メッセージは、前記時間期間中のワイヤレス通信の流れ方向を示すインジケータをさらに備え、前記メッセージは前記ウィンドウの満了時間をさらに含み、前記満了時間はビーコン間隔の数に基づいて示され、ここにおいて、前記インジケータは優先順位インジケータであり、前記優先順位インジケータは前記時間期間中に通信されたアップリンクデータとダウンリンクデータとの優先順位を示す、
前記制限されたアクセスウィンドウのメッセージを復号するための手段と、
前記ワイヤレス通信の流れ方向のインジケータに基づいて、前記第１のデバイスとデータを通信するための手段と
を備える、ワイヤレス通信用の装置。
【請求項１３】
復号するための前記手段が、前記制限されたアクセスウィンドウのメッセージを復号して、通信された前記データがアップリンクデータかダウンリンクデータかを決定するようにさらに構成された、請求項１２に記載の装置。
【請求項１４】
復号するための前記手段が、前記制限されたアクセスウィンドウのメッセージを復号して、通信された前記データがアップリンクデータか、ダウンリンクデータか、または双方向データかを決定するようにさらに構成された、請求項１２に記載の装置。
【請求項１５】
実行されると、請求項１から４のいずれか、または８から１１のいずれかに従って方法を実行する命令を備える、コンピュータプログラム。
【発明の詳細な説明】
【技術分野】
【０００１】
[0001]本出願は、一般に、ワイヤレス通信に関し、より詳細には、制限されたアクセスウィンドウを使用して電力を節約するためのシステム、方法、およびデバイスに関する。
【背景技術】
【０００２】
[0002]多くの電気通信システムでは、通信ネットワークは、空間的に分離されたいくつかの対話しているデバイスの間でメッセージを交換するために使用される。ネットワークは、たとえば、メトロポリタンエリア、ローカルエリア、またはパーソナルエリアであり得る地理的な範囲に従って分類され得る。そのようなネットワークは、それぞれワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）として指定される。ネットワークはまた、様々なネットワークノードとデバイスとを相互接続するために使用されるスイッチング／ルーティング技法（たとえば、回線交換対パケット交換）、送信に採用される物理媒体のタイプ（たとえば、有線対ワイヤレス）、および使用される通信プロトコルのセット（たとえば、インターネットプロトコルスイート、ＳＯＮＥＴ（同期光ネットワーキング）、イーサネット（登録商標）など）に応じて異なる。
【０００３】
[0003]ワイヤレスネットワークは、ネットワーク要素がモバイルであり、したがって動的接続性の必要を有するときに、またはネットワークアーキテクチャが固定ではなくアドホックなトポロジーで形成される場合に、しばしば好適である。ワイヤレスネットワークは、無線、マイクロ波、赤外線、光などの周波数帯域内の電磁波を使用する非誘導伝搬モードでは、無形の物理媒体を採用する。ワイヤレスネットワークは、有利なことに、固定有線ネットワークと比較して、ユーザモビリティと迅速な現場配置とを容易にする。
【０００４】
[0004]ワイヤレスネットワーク内のデバイスは、互いの間で情報を送信／受信することができる。その情報は、いくつかの態様ではデータユニットと呼ばれる場合がある、パケットを備えることができる。パケットは、ネットワークを介してパケットをルーティングすること、パケット内のデータを識別すること、パケットを処理することなどを行う際に助けとなるオーバーヘッド情報（たとえば、ヘッダ情報、パケットプロパティなど）、ならびにデータ、たとえば、パケットのペイロード内で搬送され得るようなユーザデータ、マルチメディアコンテンツなどを含む場合がある。
【発明の概要】
【０００５】
[0005]添付の特許請求の範囲内のシステム、方法およびデバイスの様々な実装形態は、それぞれがいくつかの態様を有し、それらのうちの単一の態様は、単独では本明細書に記載される望ましい属性に関与しない。添付の特許請求の範囲を限定することなく、いくつかの顕著な特徴が本明細書に記載される。この説明を考察すると、特に「発明を実施するための形態」と題するセクションを読むと、様々な実装形態の特徴により、アクセスポイント用のスリープタイムがどのように可能になるかを理解されよう。
【０００６】
[0006]本開示の一態様は、ワイヤレス通信の方法を提供する。方法は、装置により、その間に装置が１つまたは複数のワイヤレスデバイスとデータを通信するべき時間期間を識別するメッセージを生成することと、メッセージは、時間期間中のワイヤレス通信の流れ方向を示すインジケータをさらに備える、装置により、生成されたメッセージを送信することとを含む。
【０００７】
[0007]開示される別の態様は装置である。装置は、その間に装置が１つまたは複数のワイヤレスデバイスとデータを通信するべき時間期間を識別するメッセージを生成するように構成された処理システムと、メッセージは、時間期間中のワイヤレス通信の流れ方向を示すインジケータをさらに備える、生成されたメッセージを送信するように構成された送信機とを含む。
【０００８】
[0008]開示される別の態様はアクセスポイントである。アクセスポイントは、アンテナと、その間にアクセスポイントが１つまたは複数のワイヤレスデバイスとデータを通信するべき時間期間を識別するメッセージを生成するように構成された処理システムと、メッセージは、時間期間中のワイヤレス通信の流れ方向を示すインジケータをさらに備える、アンテナを使用して生成されたメッセージを送信するように構成された送信機とを含む。
【０００９】
[0009]開示される別の態様は装置である。装置は、その間に装置が１つまたは複数のワイヤレスデバイスとデータを通信するべき時間期間を識別するメッセージを生成するための手段と、メッセージは、時間期間中のワイヤレス通信の流れ方向を示すインジケータをさらに備える、生成されたメッセージを送信するための手段とを含む。
【００１０】
[0010]開示される別の態様はコンピュータプログラム製品である。コンピュータプログラム製品は、実行されたときワイヤレス通信の方法を装置に実施させる命令を有する、その上に符号化されたコンピュータ可読記憶デバイスを含み、前記方法は、その間に装置が１つまたは複数のワイヤレスデバイスとデータを通信するべき時間期間を識別するメッセージを生成することと、メッセージは、時間期間中のワイヤレス通信の流れ方向を示すインジケータをさらに備える、生成されたメッセージを送信することとを含む。
【００１１】
[0011]本開示の別の態様は、ワイヤレス通信の方法を提供する。ワイヤレス通信の方法は、装置により、その間に第１のデバイスが１つまたは複数の第２のデバイスとデータを通信する時間期間を識別するメッセージを受信することと、メッセージは、時間期間中のワイヤレス通信の流れ方向を示すインジケータをさらに備える、装置により、ワイヤレス通信の流れ方向のインジケータに基づいて第１のデバイスとデータを通信することとを含む。
【００１２】
[0012]開示される別の態様は装置である。装置は、その間に第１のデバイスが１つまたは複数の第２のデバイスとデータを通信する時間期間を識別するメッセージを受信するように構成された受信機と、メッセージは、時間期間中のワイヤレス通信の流れ方向を示すインジケータをさらに備える、ワイヤレス通信の流れ方向のインジケータに基づいて第１のデバイスとデータを通信するように構成された処理システムとを含む。
【００１３】
[0013]開示される別の態様はステーションである。ステーションは、アンテナと、アンテナを使用し、その間に第１のデバイスが１つまたは複数の第２のデバイスとデータを通信する時間期間を識別するメッセージを受信するように構成された受信機と、メッセージは、時間期間中のワイヤレス通信の流れ方向を示すインジケータをさらに備える、ワイヤレス通信の流れ方向のインジケータに基づいて第１のデバイスとデータを通信するように構成された処理システムとを含む。
【００１４】
[0014]開示される別の態様は装置である。装置は、その間に第１のデバイスが１つまたは複数の第２のデバイスとデータを通信する時間期間を識別するメッセージを受信するための手段と、メッセージは、時間期間中のワイヤレス通信の流れ方向を示すインジケータをさらに備える、ワイヤレス通信の流れ方向のインジケータに基づいて第１のデバイスとデータを通信するための手段とを含む。
【００１５】
[0015]開示される別の態様はコンピュータプログラム製品である。コンピュータプログラム製品は、実行されたときワイヤレス通信の方法を装置に実施させる命令を有する、その上に符号化されたコンピュータ可読記憶デバイスを備え、前記方法は、その間に第１のデバイスが１つまたは複数の第２のデバイスとデータを通信する時間期間を識別するメッセージを受信することと、メッセージは、時間期間中のワイヤレス通信の流れ方向を示すインジケータをさらに備える、ワイヤレス通信の流れ方向のインジケータに基づいて第１のデバイスとデータを通信することとを含む。
【００１６】
[0016]本開示の別の態様は、ワイヤレス通信の方法を提供する。ワイヤレス通信の方法は、装置により、装置に関連付けられていない１つまたは複数のデバイスが、メッセージによって定義された時間期間中に装置と通信することを許可されるかどうかを示すインジケータを備えるメッセージを生成することと、装置により、生成されたメッセージを送信することとを含む。
【００１７】
[0017]開示される別の態様は装置である。装置は、装置に関連付けられていない１つまたは複数のデバイスが、メッセージによって定義された時間期間中に装置と通信することを許可されるかどうかを示すメッセージを生成するように構成された処理システムと、生成されたメッセージを送信するように構成された送信機とを含む。
【００１８】
[0018]開示される別の態様はアクセスポイントである。アクセスポイントは、アンテナと、アクセスポイントに関連付けられていない１つまたは複数のデバイスが、メッセージによって定義された時間期間中にアクセスポイントと通信することを許可されるかどうかを示すメッセージを生成するように構成された処理システムと、アンテナを使用して生成されたメッセージを送信するように構成された送信機とを含む。
【００１９】
[0019]開示される別の態様は装置である。装置は、装置に関連付けられていない１つまたは複数のデバイスが、メッセージによって定義された時間期間中に装置と通信することを許可されるかどうかを示すメッセージを生成するための手段と、生成されたメッセージを送信するための手段とを含む。
【００２０】
[0020]開示される別の態様はコンピュータプログラム製品である。コンピュータプログラム製品は、実行されたときワイヤレス通信の方法を装置に実施させる命令を有する、その上に符号化されたコンピュータ可読記憶デバイスを含み、前記方法は、装置に関連付けられていない１つまたは複数のデバイスが、メッセージによって定義された時間期間中に装置と通信することを許可されるかどうかを示すメッセージを生成することと、生成されたメッセージを送信することとを含む。
【００２１】
[0021]本開示の別の態様は、ワイヤレス通信の方法を提供する。方法は、装置により、装置に関連付けられていないデバイスが、メッセージによって定義された時間期間中に装置と通信することを許可されるかどうかを示すメッセージを受信することと、装置により、指示に基づいて装置にメッセージを選択的に送信することとを含む。
【００２２】
[0022]開示される別の態様は装置である。装置は、第２の装置に関連付けられていないデバイスが、メッセージによって定義された時間期間中に第２の装置と通信することを許可されるかどうかを示すメッセージを受信するように構成された受信機と、指示に基づいて第２の装置にメッセージを選択的に送信するように構成された送信機とを含む。
【００２３】
[0023]開示される別の態様はステーションである。ステーションは、アンテナと、アンテナを使用して、装置に関連付けられていないデバイスが、メッセージによって定義された時間期間中に装置と通信することを許可されるかどうかを示すメッセージを受信するように構成された受信機と、指示に基づいて装置にメッセージを選択的に送信するように構成された送信機とを含む。
【００２４】
[0024]開示される別の態様は装置である。装置は、第２の装置に関連付けられていないデバイスが、メッセージによって定義された時間期間中に第２の装置と通信することを許可されるかどうかを示すメッセージを受信するための手段と、指示に基づいて第２の装置にメッセージを選択的に送信するための手段とを含む。
【００２５】
[0025]開示される別の態様はコンピュータプログラム製品である。コンピュータプログラム製品は、実行されたときワイヤレス通信の方法を装置に実施させる命令を有する、その上に符号化されたコンピュータ可読記憶デバイスを含み、前記方法は、装置に関連付けられていないデバイスが、メッセージによって定義された時間期間中に装置と通信することを許可されるかどうかを示すメッセージを受信することと、指示に基づいて装置にメッセージを選択的に送信することとを含む。
【００２６】
[0026]本開示の別の態様は、ワイヤレス通信の方法を提供する。方法は、装置により、その間に１つまたは複数の識別されたデバイスが装置と通信することを許可されるウィンドウの満了時間を示すメッセージを生成することと、ここにおいて、満了時間はビーコン間隔の数に基づいて示される、装置により、生成されたメッセージを送信することとを含む。
【００２７】
[0027]開示される別の態様は装置である。装置は、その間に１つまたは複数の識別されたデバイスが装置と通信することを許可されるウィンドウの満了時間を示すメッセージを生成するように構成された処理システムと、ここにおいて、満了時間はビーコン間隔の数に基づいて示される、生成されたメッセージを送信するように構成された送信機とを含む。
【００２８】
[0028]開示される別の態様はアクセスポイントである。アクセスポイントは、アンテナと、その間に１つまたは複数の識別されたデバイスがアクセスポイントと通信することを許可されるウィンドウの満了時間を示すメッセージを生成するように構成された処理システムと、ここにおいて、満了時間はビーコン間隔の数に基づいて示される、アンテナを使用して生成されたメッセージを送信するように構成された送信機とを含む。
【００２９】
[0029]開示される別の態様は装置である。装置は、その間に１つまたは複数の識別されたデバイスが装置と通信することを許可されるウィンドウの満了時間を示すメッセージを生成するための手段と、ここにおいて、満了時間はビーコン間隔の数に基づいて示される、生成されたメッセージを送信するための手段とを含む。
【００３０】
[0030]開示される別の態様はコンピュータプログラム製品である。実行されたときワイヤレス通信の方法を装置に実施させる命令を有する、その上に符号化されたコンピュータ可読記憶デバイスを備え、前記方法は、その間に１つまたは複数の識別されたデバイスが装置と通信することを許可されるウィンドウの満了時間を示すメッセージを生成することと、ここにおいて、満了時間はビーコン間隔の数に基づいて示される、生成されたメッセージを送信することとを含む、コンピュータプログラム製品。
【００３１】
[0031]本開示の別の態様は、ワイヤレス通信の方法を提供する。方法は、装置により、その間に１つまたは複数の識別されたデバイスがアクセスポイントと通信することを許可されるウィンドウの満了時間を示すメッセージを受信することと、満了時間はビーコン間隔の数に基づく、装置により、ウィンドウの間メッセージを送信することとを含む。
【００３２】
[0032]開示される別の態様は装置である。装置は、その間に１つまたは複数の識別されたデバイスがアクセスポイントと通信することを許可されるウィンドウの満了時間を示すメッセージを受信するように構成された受信機と、満了時間はビーコン間隔の数に基づく、ウィンドウの間メッセージを送信するように構成された送信機とを含む。
【００３３】
[0033]開示される別の態様はアクセスポイントである。アクセスポイントは、アンテナと、その間に１つまたは複数の識別されたデバイスがアクセスポイントと通信することを許可されるウィンドウの満了時間を示すメッセージをアンテナで受信するように構成された受信機と、満了時間はビーコン間隔の数に基づく、アンテナを使用してウィンドウの間メッセージを送信するように構成された送信機とを含む。
【００３４】
[0034]開示される別の態様はコンピュータプログラム製品である。コンピュータプログラム製品は、実行されたときワイヤレス通信の方法を装置に実施させる命令を有する、その上に符号化されたコンピュータ可読記憶デバイスを含み、前記方法は、その間に１つまたは複数の識別されたデバイスがアクセスポイントと通信することを許可されるウィンドウの満了時間を示すメッセージを受信することと、満了時間はビーコン間隔の数に基づく、ウィンドウの間メッセージを送信することとを含む。
【００３５】
[0035]本開示の別の態様は、ワイヤレス通信の方法を提供する。方法は、装置により、その間に１つまたは複数の識別されたデバイスが装置と通信することを許可されるウィンドウの開始時間を示すメッセージを生成することと、開始時間は装置によって維持される時間基準に基づく、装置により、生成されたメッセージを送信することとを含む。
【００３６】
[0036]開示される別の態様は装置である。装置は、その間に１つまたは複数の識別されたデバイスが装置と通信することを許可されるウィンドウの開始時間を示すメッセージを生成するように構成された処理装置と、開始時間は装置によって維持される時間基準に基づく、生成されたメッセージを送信するように構成された送信機とを含む。
【００３７】
[0037]開示される別の態様はアクセスポイントである。アクセスポイントは、アンテナと、その間に１つまたは複数の識別されたデバイスがアクセスポイントと通信することを許可されるウィンドウの開始時間を示すメッセージを生成するように構成された処理装置と、開始時間はアクセスポイントによって維持される時間基準に基づく、生成されたメッセージをアンテナで送信するように構成された送信機とを含む。
【００３８】
[0038]開示される別の態様は装置である。装置は、その間に１つまたは複数の識別されたデバイスが装置と通信することを許可されるウィンドウの開始時間を示すメッセージを生成するための手段と、開始時間は装置によって維持される時間基準に基づく、生成されたメッセージを送信するための手段とを含む。
【００３９】
[0039]開示される別の態様はコンピュータプログラム製品である。コンピュータプログラム製品は、実行されたときワイヤレス通信の方法を装置に実施させる命令を有する、その上に符号化されたコンピュータ可読記憶デバイスを含み、前記方法は、その間に１つまたは複数の識別されたデバイスが装置と通信することを許可されるウィンドウの開始時間を示すメッセージを生成することと、開始時間は装置によって維持される時間基準に基づく、生成されたメッセージを送信することとを含む。
【００４０】
[0040]本開示の別の態様は、ワイヤレス通信の方法を提供する。ワイヤレス通信の方法は、装置により、その間に１つまたは複数の識別されたデバイスがアクセスポイントと通信することを許可されるウィンドウの開始時間を示すメッセージをワイヤレス通信ネットワークから受信することと、開始時間はアクセスポイントによって維持される時間基準に基づく、装置により、メッセージに基づいてワイヤレス通信ネットワーク上の通信を制限することとを含む。
【００４１】
[0041]開示される別の態様は装置である。装置は、その間に１つまたは複数の識別されたデバイスがアクセスポイントと通信することを許可されるウィンドウの開始時間を示すメッセージをワイヤレス通信ネットワークから受信するように構成された受信機と、開始時間はアクセスポイントによって維持される時間基準に基づく、メッセージに基づいてワイヤレス通信ネットワーク上の通信を制限するように構成された処理システムとを含む。
【００４２】
[0042]開示される別の態様はステーションである。ステーションは、アンテナと、アンテナを使用して、その間に１つまたは複数の識別されたデバイスがアクセスポイントと通信することを許可されるウィンドウの開始時間を示すメッセージをワイヤレス通信ネットワークから受信するように構成された受信機と、開始時間はアクセスポイントによって維持される時間基準に基づく、メッセージに基づいてワイヤレス通信ネットワーク上の通信を制限するように構成された処理システムとを含む。
【００４３】
[0043]開示される別の態様は装置である。装置は、その間に１つまたは複数の識別されたデバイスがアクセスポイントと通信することを許可されるウィンドウの開始時間を示すメッセージをワイヤレス通信ネットワークから受信するための手段と、開始時間はアクセスポイントによって維持される時間基準に基づく、メッセージに基づいてワイヤレス通信ネットワーク上の通信を制限するための手段とを含む。
【００４４】
[0044]開示される別の態様はコンピュータプログラム製品である。コンピュータプログラム製品は、実行されたときワイヤレス通信の方法を装置に実施させる命令を有する、その上に符号化されたコンピュータ可読記憶デバイスを含み、前記方法は、その間に１つまたは複数の識別されたデバイスがアクセスポイントと通信することを許可されるウィンドウの開始時間を示すメッセージをワイヤレス通信ネットワークから受信することと、開始時間はアクセスポイントによって維持される時間基準に基づく、メッセージに基づいてワイヤレス通信ネットワーク上の通信を制限することとを含む。
【００４５】
[0045]開示される別の態様は、ワイヤレス通信の方法である。方法は、装置により、特定のデバイスまたはデバイスの無制限のグループを識別し、その間に識別された特定のデバイスまたはデバイスの無制限のグループが装置と通信することを許可される時間期間を識別するメッセージを生成することと、装置により、生成されたメッセージを送信することとを含む。
【００４６】
[0046]開示される別の態様は装置である。装置は、特定のデバイスまたはデバイスの無制限のグループを識別し、その間に識別された特定のデバイスまたはデバイスの無制限のグループが装置と通信することを許可される時間期間を識別するメッセージを生成するように構成された処理システムと、生成されたメッセージを送信するように構成された送信機とを含む。
【００４７】
[0047]開示される別の態様はアクセスポイントである。アクセスポイントは、アンテナと、特定のデバイスまたはデバイスの無制限のグループを識別し、その間に識別された特定のデバイスまたはデバイスの無制限のグループが装置と通信することを許可される時間期間を識別するメッセージを生成するように構成された処理システムと、アンテナを使用して生成されたメッセージを送信するように構成された送信機とを含む。
【００４８】
[0048]開示される別の態様は装置である。装置は、特定のデバイスまたはデバイスの無制限のグループを識別し、その間に識別された特定のデバイスまたはデバイスの無制限のグループが装置と通信することを許可される時間期間を識別するメッセージを生成するための手段と、生成されたメッセージを送信するための手段とを含む。
【００４９】
[0049]開示される別の態様はコンピュータプログラム製品である。コンピュータプログラム製品は、実行されたときワイヤレス通信の方法を装置に実施させる命令を有する、その上に符号化されたコンピュータ可読記憶デバイスを含み、前記方法は、特定のデバイスまたはデバイスの無制限のグループを識別し、その間に識別された特定のデバイスまたはデバイスの無制限のグループが装置と通信することを許可される時間期間を識別するメッセージを生成することと、生成されたメッセージを送信することとを含む。
【００５０】
[0050]本開示の別の態様は、ワイヤレス通信の方法を提供する。方法は、装置により、特定のデバイスまたはデバイスの無制限のグループを識別し、その間に識別されたデバイスまたは識別されたデバイスの無制限のグループがアクセスポイントと通信することを許可される時間期間を識別するメッセージをワイヤレス通信ネットワークから受信することと、装置により、時間期間中のワイヤレス通信ネットワーク上の通信を制限することとを含む。
【００５１】
[0051]開示される別の態様は装置である。装置は、特定のデバイスまたはデバイスの無制限のグループを識別し、その間に識別されたデバイスまたは識別されたデバイスの無制限のグループがアクセスポイントと通信することを許可される時間期間を識別するメッセージをワイヤレス通信ネットワークから受信するように構成された受信機と、時間期間中のワイヤレス通信ネットワーク上の通信を制限するように構成された処理システムとを含む。
【００５２】
[0052]開示される別の態様はステーションである。ステーションは、アンテナと、アンテナでワイヤレス通信ネットワークからメッセージを受信するように構成された受信機と、メッセージは、特定のデバイスまたはデバイスの無制限のグループを識別し、その間に識別されたデバイスまたは識別されたデバイスの無制限のグループがアクセスポイントと通信することを許可される時間期間を識別する、時間期間中のワイヤレス通信ネットワーク上の通信を制限するように構成された処理システムとを含む。
【００５３】
[0053]開示される別の態様は装置である。装置は、特定のデバイスまたはデバイスの無制限のグループを識別し、その間に識別されたデバイスまたは識別されたデバイスの無制限のグループがアクセスポイントと通信することを許可される時間期間を識別するメッセージをワイヤレス通信ネットワークから受信するための手段と、時間期間中のワイヤレス通信ネットワーク上の通信を制限するための手段とを含む。
【００５４】
[0054]開示される別の態様はコンピュータプログラム製品である。コンピュータプログラム製品は、実行されたときワイヤレス通信の方法を装置に実施させる命令を有する、その上に符号化されたコンピュータ可読記憶デバイスを含み、前記方法は、特定のデバイスまたはデバイスの無制限のグループを識別し、その間に識別されたデバイスまたは識別されたデバイスの無制限のグループがアクセスポイントと通信することを許可される時間期間を識別するメッセージをワイヤレス通信ネットワークから受信することと、時間期間中のワイヤレス通信ネットワーク上の通信を制限することとを含む。
【００５５】
[0055]本開示の別の態様は、ワイヤレス通信の方法を提供する。方法は、装置により、目標起床時間と目標起床時間用の識別子とを含むメッセージを送信することと、装置により、目標起床時間用の識別子を含むページングメッセージを送信することとを含む。
【００５６】
[0056]開示される別の態様は装置である。装置は、目標起床時間と目標起床時間用の識別子とを含むメッセージを送信するように構成された送信機を含み、ここにおいて、送信機は、目標起床時間用の識別子を含むページングメッセージを送信するようにさらに構成される。
【００５７】
[0057]開示される別の態様はアクセスポイントである。アクセスポイントは、アンテナと、アンテナを使用してメッセージを送信するように構成された送信機とを含み、メッセージは、目標起床時間と目標起床時間用の識別子とを含み、ここにおいて、送信機は、アンテナを使用して、目標起床時間用の識別子を含むページングメッセージを送信するようにさらに構成される。
【００５８】
[0058]開示される別の態様は装置である。装置は、目標起床時間と目標起床時間用の識別子とを含むメッセージを送信するための手段と、目標起床時間用の識別子を含むページングメッセージを送信するための手段とを含む。
【００５９】
[0059]開示される別の態様はコンピュータプログラム製品である。コンピュータプログラム製品は、実行されたときワイヤレス通信の方法を装置に実施させる命令を有する、その上に符号化されたコンピュータ可読記憶デバイスを含み、前記方法は、目標起床時間と目標起床時間用の識別子とを含むメッセージを送信することと、目標起床時間用の識別子を含むページングメッセージを送信することとを含む。
【００６０】
[0060]本開示の別の態様は、ワイヤレス通信の方法を提供する。方法は、装置により、目標起床時間と目標起床時間用の識別子とを示すメッセージを受信することと、ここにおいて、受信機は、目標起床時間用の識別子を示すページングメッセージを受信するようにさらに構成される、装置により、スリープ状態に入ることと、装置により、目標起床時間用の識別子を示すページングメッセージを受信したことに基づいて、目標起床時間に起きることとを含む。
【００６１】
[0061]開示される別の態様は装置である。装置は、目標起床時間と目標起床時間用の識別子とを示すメッセージを受信するように構成された受信機と、ここにおいて、受信機は、目標起床時間用の識別子を示すページングメッセージを受信するようにさらに構成される、スリープ状態に入り、目標起床時間用の識別子を示すページングメッセージを受信したことに基づいて、目標起床時間に起きるように構成された処理装置とを含む。
【００６２】
[0062]開示される別の態様はステーションである。ステーションは、アンテナと、アンテナを使用してメッセージを受信するように構成された受信機と、メッセージは、目標起床時間と目標起床時間用の識別子とを示す、ここにおいて、受信機は、目標起床時間用の識別子を示すページングメッセージを受信するようにさらに構成される、スリープ状態に入り、目標起床時間用の識別子を示すページングメッセージを受信したことに基づいて、目標起床時間に起きるように構成された処理装置とを含む。
【００６３】
[0063]開示される別の態様は装置である。装置は、目標起床時間と目標起床時間用の識別子とを示すメッセージを受信するための手段と、ここにおいて、受信するための手段は、目標起床時間用の識別子を示すページングメッセージを受信するようにさらに構成される、スリープ状態に入り、目標起床時間用の識別子を示すページングメッセージを受信したことに基づいて、目標起床時間に起きるための手段とを含む。
【００６４】
[0064]開示される別の態様はコンピュータプログラム製品である。コンピュータプログラム製品は、実行されたときワイヤレス通信の方法を装置に実施させる命令を有する、その上に符号化されたコンピュータ可読記憶デバイスを含み、前記方法は、目標起床時間と目標起床時間用の識別子とを示すメッセージを受信することと、ここにおいて、受信機は、目標起床時間用の識別子を示すページングメッセージを受信するようにさらに構成される、スリープ状態に入ることと、目標起床時間用の識別子を示すページングメッセージを受信したことに基づいて、目標起床時間に起きることとを含む。
【００６５】
[0065]本開示の別の態様は、ワイヤレス通信の方法を提供する。方法は、装置により、目標起床時間とアップリンク方向インジケータとを示すメッセージを生成することと、ここにおいて、メッセージは、アップリンクデータを送信する前に送信要求メッセージが送信されるべきかどうかをさらに示す、装置により、生成されたメッセージを送信することとを含む。
【００６６】
[0066]開示される別の態様は装置である。装置は、目標起床時間とアップリンク方向インジケータとを示すメッセージを生成するように構成された処理装置と、ここにおいて、メッセージは、アップリンクデータを送信する前に送信要求メッセージが送信されるべきかどうかをさらに示す、生成されたメッセージを送信するように構成された送信機とを含む。
【００６７】
[0067]開示される別の態様はアクセスポイントである。アクセスポイントは、アンテナと、目標起床時間とアップリンク方向インジケータとを示すメッセージを生成するように構成された処理装置と、ここにおいて、メッセージは、アップリンクデータを送信する前に送信要求メッセージが送信されるべきかどうかをさらに示す、アンテナを使用して生成されたメッセージを送信するように構成された送信機とを含む。
【００６８】
[0068]開示される別の態様は装置である。装置は、目標起床時間とアップリンク方向インジケータとを示すメッセージを生成するための手段と、ここにおいて、メッセージは、アップリンクデータを送信する前に送信要求メッセージが送信されるべきかどうかをさらに示す、生成されたメッセージを送信するための手段とを含む。
【００６９】
[0069]開示される別の態様はコンピュータプログラム製品である。コンピュータプログラム製品は、実行されたときワイヤレス通信の方法を装置に実施させる命令を有する、その上に符号化されたコンピュータ可読記憶デバイスを含み、前記方法は、目標起床時間とアップリンク方向インジケータとを示すメッセージを生成することと、ここにおいて、メッセージは、アップリンクデータを送信する前に送信要求メッセージが送信されるべきかどうかをさらに示す、生成されたメッセージを送信することとを含む。
【００７０】
[0070]本開示の別の態様は、ワイヤレス通信の方法を提供する。方法は、装置により、目標起床時間とアップリンク方向インジケータとを示すメッセージを受信することと、ここにおいて、メッセージは、アップリンクデータを送信する前に送信要求メッセージが送信されるべきかどうかをさらに示す、装置により、アップリンクデータを送信する前に送信要求メッセージが送信されるべきことをメッセージが示すかどうかに基づいて、送信要求メッセージを選択的に送信することとを含む。
【００７１】
[0071]開示される別の態様は装置である。装置は、目標起床時間とアップリンク方向インジケータとを示すメッセージを受信するように構成された受信機と、ここにおいて、メッセージは、アップリンクデータを送信する前に送信要求メッセージが送信されるべきかどうかをさらに示す、アップリンクデータを送信する前に送信要求メッセージが送信されるべきことをメッセージが示すかどうかに基づいて、送信要求メッセージを選択的に送信するように構成された送信機とを含む。
【００７２】
[0072]開示される別の態様はステーションである。ステーションは、アンテナと、アンテナを使用してメッセージを受信するように構成された受信機と、メッセージは目標起床時間とアップリンク方向インジケータとを示す、ここにおいて、メッセージは、アップリンクデータを送信する前に送信要求メッセージが送信されるべきかどうかをさらに示す、アップリンクデータを送信する前に送信要求メッセージが送信されるべきことをメッセージが示すかどうかに基づいて、送信要求メッセージを選択的に送信するように構成された送信機とを含む。
【００７３】
[0073]開示される別の態様は装置である。装置は、目標起床時間とアップリンク方向インジケータとを示すメッセージを受信するための手段と、ここにおいて、メッセージは、アップリンクデータを送信する前に送信要求メッセージが送信されるべきかどうかをさらに示す、アップリンクデータを送信する前に送信要求メッセージが送信されるべきことをメッセージが示すかどうかに基づいて、送信要求メッセージを選択的に送信するための手段とを含む。
【００７４】
[0074]開示される別の態様はコンピュータプログラム製品である。コンピュータプログラム製品は、実行されたときワイヤレス通信の方法を装置に実施させる命令を有する、その上に符号化されたコンピュータ可読記憶デバイスを含み、前記方法は、目標起床時間とアップリンク方向インジケータとを示すメッセージを受信することと、ここにおいて、メッセージは、アップリンクデータを送信する前に送信要求メッセージが送信されるべきかどうかをさらに示す、アップリンクデータを送信する前に送信要求メッセージが送信されるべきことをメッセージが示すかどうかに基づいて、送信要求メッセージを選択的に送信することとを含む。
【００７５】
[0075]開示される別の態様は方法である。方法は、装置により、その間に１つまたは複数の識別されたデバイスが装置と通信することを許可されるウィンドウの満了時間を示すメッセージを生成することと、ここにおいて、満了時間はビーコン間隔の数に基づいて示される、装置により、生成されたメッセージを送信することとを含む。いくつかの態様では、方法は、特定の数のビーコン間隔を示すようにメッセージを生成することによって、ウィンドウが満了しないことを示すことをさらに含む。いくつかの態様では、方法は、ウィンドウが満了しないことを示すようにメッセージを生成することと、ウィンドウの満了時間を示す第２のメッセージを生成することと、ここにおいて、満了時間は、特定の値に等しくない第２の数のビーコン間隔に基づいて示される、装置により、第２のメッセージを送信することとをさらに含む。いくつかの態様では、方法は、制限されたアクセスウィンドウ（ＲＡＷ）のメッセージとしてメッセージを生成することを含み、制限されたアクセスウィンドウのメッセージは、アクセスポイントがワイヤレスステーションの選択されたグループ用に確保されたものとして宣言する時間の期間を定義する。いくつかの態様では、方法はまた、制限されたアクセスウィンドウ（ＲＡＷ）の開始時間と持続時間とを示すように、制限されたアクセスウィンドウのメッセージを生成することを含む。
【００７６】
[0076]開示される別の態様は装置である。装置は、その間に１つまたは複数の識別されたデバイスが装置と通信することを許可されるウィンドウの満了時間を示すメッセージを生成するように構成された処理システムを含み、ここにおいて、満了時間はビーコン間隔の数に基づいて示され、処理システムは、生成されたメッセージを送信するようにさらに構成される。いくつかの態様では、ビーコン間隔の数が特定の値に等しい場合、満了時間はウィンドウが満了しないことを示す。いくつかの態様では、処理システムは、ウィンドウが満了しないことを示すようにメッセージを生成するようにさらに構成され、処理システムは、ウィンドウの満了時間を示す第２のメッセージを生成するようにさらに構成され、ここにおいて、満了時間は、特定の値に等しくない数のビーコン間隔に基づいて示され、処理システムは、第２のメッセージを送信するようにさらに構成される。
【００７７】
[0077]装置のいくつかの態様では、処理システムは、制限されたアクセスウィンドウ（ＲＡＷ）のメッセージとしてメッセージを生成するようにさらに構成され、制限されたアクセスウィンドウのメッセージは、アクセスポイントがワイヤレスステーションの選択されたグループ用に確保されたものとして宣言する時間の期間を定義する。いくつかの態様では、処理システムは、制限されたアクセスウィンドウ（ＲＡＷ）の開始時間と持続時間とを示すように、制限されたアクセスウィンドウのメッセージを生成するようにさらに構成される。
【００７８】
[0078]開示される別の態様は方法である。方法は、装置により、第１のメッセージを受信することと、第１のメッセージを復号してビーコン間隔の第１の数を決定することと、ビーコン間隔の第１の数に基づいて、その間に１つまたは複数の識別されたデバイスがアクセスポイントと通信することを許可されるウィンドウの満了時間を決定することと、装置により、ウィンドウの間第２のメッセージを送信することとを含む。いくつかの態様では、方法はまた、ビーコン間隔の第１の数が特定の値に等しい場合、ウィンドウが満了しないと決定することを含む。いくつかの態様では、方法はまた、ビーコン間隔の第１の数に基づいてウィンドウが満了しないと決定することと、第３のメッセージを受信することと、第２のメッセージに基づいてビーコン間隔の第２の数を決定することと、特定の値に等しくないビーコン間隔の第２の数に基づいてウィンドウが満了すると決定することとを含む。方法のいくつかの態様はまた、受信されたメッセージを制限されたアクセスウィンドウのメッセージとして復号することを含み、ここにおいて、制限されたアクセスウィンドウのメッセージは、アクセスポイントがワイヤレスステーションの選択されたグループ用に確保されたものとして宣言する時間の期間を定義する。いくつかの態様では、方法はまた、制限されたアクセスウィンドウ（ＲＡＷ）のメッセージを復号して、制限されたアクセスウィンドウの開始時間と持続時間とを決定することを含む。
【００７９】
[0079]開示される別の態様は装置である。装置は、第１のメッセージを受信することと、第１のメッセージを復号してビーコン間隔の第１の数を決定することと、ビーコン間隔の第１の数に基づいて、その間に１つまたは複数の識別されたデバイスがアクセスポイントと通信することを許可されるウィンドウの満了時間を決定することと、ウィンドウの間第２のメッセージを送信することとを行うように構成された処理システムを含む。いくつかの態様では、処理システムは、ビーコン間隔の第１の数が特定の値に等しい場合、ウィンドウが満了しないと決定するようにさらに構成される。いくつかの態様では、処理システムは、ビーコン間隔の第１の数に基づいてウィンドウが満了しないと決定することと、第３のメッセージを受信することと、第３のメッセージに基づいてビーコン間隔の第２の数を決定することと、特定の値に等しくないビーコン間隔の第２の数に基づいてウィンドウが満了すると決定することとを行うようにさらに構成される。
【００８０】
[0080]装置のいくつかの態様では、処理システムは、受信されたメッセージを制限されたアクセスウィンドウのメッセージとして復号するようにさらに構成され、ここにおいて、制限されたアクセスウィンドウのメッセージは、アクセスポイントがワイヤレスステーションの選択されたグループ用に確保されたものとして宣言する時間の期間を定義する。装置のいくつかの態様では、処理システムは、制限されたアクセスウィンドウ（ＲＡＷ）のメッセージを復号して、制限されたアクセスウィンドウの開始時間と持続時間とを決定するようにさらに構成される。
【００８１】
[0081]開示される別の態様は、ワイヤレス通信用の方法である。方法は、装置により、その間に装置が１つまたは複数のワイヤレスデバイスとデータを通信するべき時間期間を識別する、制限されたアクセスウィンドウ（ＲＡＷ）のメッセージを生成することと、メッセージは、時間期間中のワイヤレス通信の流れ方向を示すインジケータをさらに備える、装置により、生成されたメッセージを送信することとを含む。いくつかの態様では、インジケータは、時間期間中に通信されたデータがアップリンクデータかダウンリンクデータかを示す。いくつかの態様では、インジケータは、時間期間中に通信されたデータがアップリンクデータか、ダウンリンクデータか、または双方向データかを示す。いくつかの態様では、方法は、時間期間中に通信されたアップリンクデータとダウンリンクデータとの間の優先順位を示す優先順位インジケータを備えるように、制限されたアクセスウィンドウのメッセージを生成することをさらに含む。いくつかの態様では、ワイヤレス通信の流れ方向のインジケータは、１ビットまたは２ビットのビット長を有する。いくつかの態様では、時間期間は目標起床時間（ＴＷＴ）を識別する。いくつかの態様では、方法はまた、開始時間インジケータと持続時間インジケータとを備えるように、制限されたアクセスウィンドウ（ＲＡＷ）のメッセージを生成することを含み、開始時間インジケータはＲＡＷの開始時間を示し、持続時間インジケータはＲＡＷの持続時間を示す。
【００８２】
[0082]開示される別の態様は、ワイヤレス通信用の装置である。装置は、その間に装置が１つまたは複数のワイヤレスデバイスとデータを通信するべき時間期間を識別する、制限されたアクセスウィンドウ（ＲＡＷ）のメッセージを生成するように構成された処理システムと、メッセージは、時間期間中のワイヤレス通信の流れ方向を示すインジケータを備えるようにさらに生成される、生成されたメッセージを送信するように構成された送信機とを含む。いくつかの態様では、インジケータは、時間期間中に通信されたデータがアップリンクデータかダウンリンクデータかを示す。いくつかの態様では、インジケータは、時間期間中に通信されたデータがアップリンクデータか、ダウンリンクデータか、または双方向データかを示す。いくつかの態様では、処理システムは、時間期間中に通信されたアップリンクデータおよびダウンリンクデータの優先順位を示す優先順位インジケータを備えるように、制限されたアクセスウィンドウのメッセージを生成するようにさらに構成される。いくつかの態様では、ワイヤレス通信の流れ方向のインジケータは、１ビットまたは２ビットのいずれかのビット長を有する。いくつかの態様では、時間期間は目標起床時間（ＴＷＴ）を識別する。
【００８３】
[0083]いくつかの態様では、処理システムは、開始時間インジケータと持続時間インジケータとを備えるように、制限されたアクセスウィンドウ（ＲＡＷ）のメッセージを生成するようにさらに構成され、開始時間インジケータはＲＡＷの開始時間を示し、持続時間インジケータはＲＡＷの持続時間を示す。
【００８４】
[0084]開示される別の態様は、ワイヤレス通信の方法である。方法は、装置により、その間に第１のデバイスが１つまたは複数の第２のデバイスとデータを通信する時間期間を識別する、制限されたアクセスウィンドウ（ＲＡＷ）のメッセージを受信することと、メッセージは、ワイヤレス通信の流れ方向を示すインジケータをさらに備える、装置により、ワイヤレス通信の流れ方向のインジケータに基づいて第１のデバイスとデータを通信することとを含む。いくつかの態様では、方法はまた、制限されたアクセスウィンドウ（ＲＡＷ）のメッセージを復号して、通信されたデータがアップリンクデータかダウンリンクデータかを決定することを含む。いくつかの態様では、方法はまた、制限されたアクセスウィンドウ（ＲＡＷ）のメッセージを復号して、通信されたデータがアップリンクデータか、ダウンリンクデータか、または双方向データかを決定することを含む。いくつかの態様では、方法はまた、制限されたアクセスウィンドウのメッセージ（ＲＡＷ）を復号して、時間期間中に通信されたアップリンクデータおよびダウンリンクデータの優先順位を決定することを含む。いくつかの態様では、方法はまた、１ビットまたは２ビットのいずれかの受信されたＲＡＷメッセージに基づいて、ワイヤレス通信の流れ方向のインジケータを復号することを含む。いくつかの態様では、時間期間は目標起床時間（ＴＷＴ）を識別する。いくつかの態様では、方法はまた、制限されたアクセスウィンドウのメッセージに基づいて、ＲＡＷの開始時間とＲＡＷの持続時間とを復号することを含む。
【００８５】
[0085]開示される別の態様は、ワイヤレス通信用の装置である。装置は、その間に第１のデバイスが１つまたは複数の第２のデバイスとデータを通信する時間期間を識別する、制限されたアクセスウィンドウ（ＲＡＷ）のメッセージを受信するように構成された処理システムを含み、メッセージは、時間期間中のワイヤレス通信の流れ方向を示すインジケータを備える。処理システムは、ワイヤレス通信の流れ方向のインジケータに基づいて、第１のデバイスとデータを通信するようにさらに構成される。いくつかの態様では、処理システムは、制限されたアクセスウィンドウのメッセージを復号して、通信されたデータがアップリンクデータかダウンリンクデータかを決定するようにさらに構成される。いくつかの態様では、処理システムは、制限されたアクセスウィンドウのメッセージを復号して、通信されたデータがアップリンクデータか、ダウンリンクデータか、または双方向データかを決定するようにさらに構成される。いくつかの態様では、処理システムは、制限されたアクセスウィンドウのメッセージを復号して、時間期間中に通信されたアップリンクデータおよびダウンリンクデータの優先順位を決定するようにさらに構成される。いくつかの態様では、処理システムは、１ビットまたは２ビットのいずれかの受信されたメッセージに基づいて、ワイヤレス通信の流れ方向のインジケータを復号するようにさらに構成される。いくつかの態様では、時間期間は目標起床時間（ＴＷＴ）を識別する。いくつかの態様では、処理システムは、制限されたアクセスウィンドウのメッセージに基づいて、ＲＡＷの開始時間とＲＡＷの持続時間とを復号するようにさらに構成される。
【００８６】
[0086]開示される別の態様は、ワイヤレス通信の方法である。方法は、装置により、装置に関連付けられていないデバイスが、メッセージによって定義された時間期間中に装置と通信することを許可されたことを示す、制限されたアクセスウィンドウのメッセージを生成することと、装置により、生成されたメッセージを送信することとを含む。いくつかの態様では、方法はまた、時間期間中のスリープ状態または居眠り状態を禁止することを含む。いくつかの態様では、方法は、関連するデバイスも装置と通信するための時間期間を使用することができるかどうかを示すように、制限されたアクセスウィンドウのメッセージを生成することを含む。いくつかの態様では、方法は、時間期間中に装置と通信することを許可されたデバイスの一意のデバイス識別子を備えるように、制限されたアクセスウィンドウのメッセージを生成することをさらに含む。いくつかの態様では、方法は、時間期間中に第１の関連しないデバイスから第１のメッセージを受信することと、時間期間中に第１のメッセージが受信された場合、第１のメッセージに対する応答を送信することとを含む。いくつかの態様では、方法は、時間期間の開始時間を示すインジケータを備えるようにメッセージを生成することをさらに備える、制限されたアクセスウィンドウのメッセージを生成することをさらに含み、開始時間は絶対時間基準に基づく。
【００８７】
[0087]開示される別の態様は、ワイヤレス通信用の装置である。装置は、装置に関連付けられていないデバイスが、メッセージによって定義された時間期間中に装置と通信することを許可されたことを示す、制限されたアクセスウィンドウ（ＲＡＷ）のメッセージを生成するように構成された処理システムと、生成されたメッセージを送信するように構成された送信機とを含む。いくつかの態様では、処理システムは、時間期間中のスリープ状態または居眠り状態を禁止するようにさらに構成される。いくつかの態様では、処理システムは、時間期間中に装置と通信することを許可されたデバイスの一意のデバイス識別子を備えるように、制限されたアクセスウィンドウのメッセージを生成するようにさらに構成される。いくつかの態様では、処理システムは、関連するデバイスも装置と通信するための時間期間を使用することができるかどうかを示すように、制限されたアクセスウィンドウのメッセージを生成するようにさらに構成される。いくつかの態様では、処理システムは、時間期間中に第１の関連しないデバイスから第１のメッセージを受信するようにさらに構成され、送信機において、時間期間中に第１のメッセージが受信された場合、第１のメッセージに対する応答を送信するようにさらに構成される。いくつかの態様では、処理システムは、時間期間の開始時間を示すインジケータをさらに備えるように、制限されたアクセスウィンドウのメッセージを生成するようにさらに構成され、開始時間は絶対時間基準に基づく。
【００８８】
[0088]開示される別の態様は、ワイヤレス通信用の方法である。方法は、第１の装置により、制限されたアクセスウィンドウ（ＲＡＷ）のメッセージを復号して、制限されたアクセスウィンドウのメッセージによって定義された時間期間中に、第２の装置に関連付けられていないデバイスが第２の装置と通信することを許可されたと決定することと、第１の装置により、第１の装置が第２の装置に関連付けられているかどうかに基づいて、時間期間中に第２の装置に別のメッセージを送信することとを含む。いくつかの態様では、送信は、第１の装置が第２の装置に関連付けられていない場合、第２の装置に関連付けメッセージを送信することを含む。いくつかの態様では、方法はまた、制限されたアクセスウィンドウ（ＲＡＷ）のメッセージを復号して、第２の装置に関連付けられたデバイスが時間期間中に第２の装置と通信することを許可されるかどうかを決定することを含み、ここにおいて、送信は、第２の装置に関連付けられたデバイスが時間期間中に第２の装置と通信することを許可され、第１の装置が第２の装置に関連付けられている場合、時間期間中に第２の装置に別のメッセージを送信することを含む。
【００８９】
[0089]いくつかの態様では、方法は、第１の装置の一意のデバイス識別子が制限されたアクセスウィンドウのメッセージに含まれるかどうかに基づいて、時間期間中に第１の装置が第２の装置と通信することを許可されるかどうかを決定することを含む。いくつかの態様では、方法は、制限されたアクセスウィンドウのメッセージを復号して、時間期間の開始時間のインジケータを識別することをさらに含み、開始時間は絶対時間基準に基づく。
【００９０】
[0090]開示される別の態様は、ワイヤレス通信用の第１の装置である。第１の装置は、制限されたアクセスウィンドウのメッセージによって定義された時間期間中に、第２の装置に関連付けられていないデバイスが第２の装置と通信することを許可されたことを示す、制限されたアクセスウィンドウのメッセージを受信するように構成された処理システムと、第１の装置が第２の装置に関連付けられているかどうかに基づいて、時間期間中に第２の装置に別のメッセージを送信するように構成された送信機とを含む。いくつかの態様では、送信機は、第１の装置が第２の装置に関連付けられていない場合、第２の装置に関連付けメッセージを送信するようにさらに構成される。いくつかの態様では、処理システムは、制限されたアクセスウィンドウ（ＲＡＷ）のメッセージを復号して、第２の装置に関連付けられたデバイスが時間期間中に第２の装置と通信することを許可されるかどうかを決定するようにさらに構成され、送信機は、第２の装置に関連付けられたデバイスが時間期間中に第２の装置と通信することを許可され、第１の装置が第２の装置に関連付けられている場合、時間期間中に第２の装置に他のメッセージを送信するようにさらに構成される。いくつかの態様では、処理システムは、第１の装置の一意のデバイス識別子が制限されたアクセスウィンドウのメッセージに含まれるかどうかに基づいて、時間期間中に第１の装置が第２の装置と通信することを許可されるかどうかを決定するようにさらに構成される。いくつかの態様では、処理システムは、制限されたアクセスウィンドウのメッセージを復号して、時間期間の開始時間のインジケータを識別するようにさらに構成され、開始時間は絶対時間基準に基づく。
【００９１】
[0091]開示される別の態様は、ワイヤレス通信用の方法である。方法は、装置により、その間に１つまたは複数のデバイスが装置と通信することを許可されるウィンドウの開始時間を示すメッセージを生成することと、開始時間は絶対時間基準に基づく、装置により、生成されたメッセージを送信することとを含む。いくつかの態様では、絶対時間基準は、目標ビーコン送信時間（ＴＢＴＴ）に基づく。いくつかの態様では、絶対時間基準は、タイミング同期機能（ＴＳＦ）に基づく。いくつかの態様では、メッセージを生成することは、制限されたアクセスウィンドウの開始時間と持続時間とを示すように、制限されたアクセスウィンドウのメッセージを生成することをさらに含む。いくつかの態様では、メッセージは、目標起床時間情報要素（ＴＷＴ  ＩＥ）として生成される。いくつかの態様では、メッセージは、ウィンドウの間のワイヤレス通信の流れ方向のインジケータをさらに備えるように生成される。いくつかの態様では、ワイヤレス通信の流れ方向のインジケータは、ウィンドウの間に装置がデータを送信するか受信するかを示す。
【００９２】
[0092]開示される別の態様は、ワイヤレス通信用の装置である。装置は、その間に１つまたは複数のデバイスが装置と通信することを許可されるウィンドウの開始時間を示すメッセージを生成するように構成された処理システムと、開始時間は絶対時間基準に基づく、生成されたメッセージを送信するように構成された送信機とを含む。いくつかの態様では、絶対時間基準は、目標ビーコン送信時間（ＴＢＴＴ）に基づく。いくつかの態様では、絶対時間基準は、タイミング同期機能（ＴＳＦ）に基づく。いくつかの態様では、メッセージを生成することは、制限されたアクセスウィンドウの開始時間と持続時間とを示すように、制限されたアクセスウィンドウのメッセージを生成することをさらに含む。いくつかの態様では、処理システムは、目標起床時間情報要素（ＴＷＴ  ＩＥ）としてメッセージを生成するように構成される。いくつかの態様では、メッセージは、ウィンドウの間のワイヤレス通信の流れ方向のインジケータをさらに備えるように生成される。いくつかの態様では、ワイヤレス通信の流れ方向のインジケータは、ウィンドウの間に装置がデータを送信するか受信するかを示す。
【００９３】
[0093]開示される別の態様は、ワイヤレス通信用の装置である。装置は、その間に１つまたは複数のデバイスが装置と通信することを許可されるウィンドウの開始時間を示すメッセージを生成するための手段と、開始時間は絶対時間基準に基づく、生成されたメッセージを送信するための手段とを含む。いくつかの態様では、絶対時間基準は、目標ビーコン送信時間（ＴＢＴＴ）に基づく。いくつかの態様では、絶対時間基準は、タイミング同期機能（ＴＳＦ）に基づく。いくつかの態様では、生成するための手段は、制限されたアクセスウィンドウのメッセージとしてメッセージを生成するように構成され、制限されたアクセスウィンドウのメッセージは、制限されたアクセスウィンドウの開始時間と持続時間とを示すインジケータを備える。いくつかの態様では、生成するための手段は、目標起床時間情報要素（ＴＷＴ  ＩＥ）としてメッセージを生成するように構成される。いくつかの態様では、生成するための手段は、ウィンドウの間のワイヤレス通信の流れ方向のインジケータをさらに備えるようにメッセージを生成するように構成される。いくつかの態様では、ワイヤレス通信の流れ方向のインジケータは、ウィンドウの間装置がデータを送信するか受信するかを示す。
【００９４】
[0094]開示される別の態様は、ワイヤレス通信用のワイヤレスノードである。ワイヤレスノードは、アンテナと、その間に１つまたは複数のデバイスが装置と通信することを許可されるウィンドウの開始時間を示すメッセージを生成するように構成された処理システムと、開始時間は絶対時間基準に基づく、アンテナを使用して生成されたメッセージを送信するように構成された送信機とを含む。
【００９５】
[0095]開示される別の態様は、ワイヤレス通信用の方法である。方法は、装置により、少なくとも１つの特定のデバイスを識別するメッセージを生成することと、その間に識別された少なくとも１つの特定のデバイスが装置と通信することを許可される時間期間を識別するようにメッセージを生成することと、装置により、生成されたメッセージを送信することとを含む。いくつかの態様では、メッセージを生成することは、制限されたアクセスウィンドウのメッセージを生成することをさらに含む。いくつかの態様では、方法は、時間期間の開始時間と持続時間とを示すように、制限されたアクセスウィンドウのメッセージを生成することを含む。いくつかの態様では、方法は、時間期間中に装置と通信することを許可された少なくとも１つの特定のデバイスのリストを備えるように、メッセージを生成することをさらに含む。いくつかの態様では、方法は、時間期間中に装置と通信することを許可された１つまたは複数の特定のデバイスの各々のインジケータを備えるように、メッセージを生成することをさらに含む。いくつかの態様では、方法は、時間期間中に特定のデバイスからメッセージを受信することと、時間期間中に特定のデバイスのメッセージが受信された場合、特定のデバイスのメッセージに対する応答を生成することとをさらに含む。
【００９６】
[0096]開示される別の態様は、ワイヤレス通信用の装置である。装置は、少なくとも１つの特定のデバイスを識別するメッセージを生成するように構成され、その間に少なくとも１つの識別された特定のデバイスが装置と通信することを許可される時間期間の識別子を備えるようにメッセージを生成するように構成された処理システムと、生成されたメッセージを送信するように構成された送信機とを含む。いくつかの態様では、メッセージを生成することは、制限されたアクセスウィンドウのメッセージを生成することをさらに含む。いくつかの態様では、処理システムは、時間期間の開始時間と持続時間とを示すように、制限されたアクセスウィンドウのメッセージを生成するようにさらに構成される。いくつかの態様では、処理システムは、時間期間中に装置と通信することを許可された１つまたは複数の特定のデバイスのリストを備えるように、メッセージを生成するようにさらに構成される。いくつかの態様では、処理システムは、時間期間中に装置と通信することを許可された１つまたは複数の特定のデバイスの各々の識別子を備えるように、メッセージを生成するようにさらに構成される。いくつかの態様では、処理システムは、時間期間中に特定のデバイスからメッセージを受信するようにさらに構成され、処理システムは、時間期間中に特定のデバイスのメッセージが受信された場合、特定のデバイスのものに対する応答を生成するようにさらに構成される。
【００９７】
[0097]開示される別の態様は、ワイヤレス通信用の方法である。方法は、第１の装置により、ワイヤレス通信ネットワークから受信されたメッセージを復号して、特定のデバイスを識別することと、メッセージを復号して、その間に識別された特定のデバイスが第２の装置と通信することを許可される時間期間を識別することと、第１の装置により、時間期間中の第２の装置との通信を制限することとを含む。いくつかの態様では、方法は、受信されたメッセージを制限されたアクセスウィンドウのメッセージとして復号することを含む。いくつかの態様では、方法は、制限されたアクセスウィンドウのメッセージに基づいて、制限されたアクセスウィンドウの開始時間と持続時間とを決定することを含む。いくつかの態様では、方法は、制限されたアクセスウィンドウのメッセージを復号して、時間期間中に第２の装置と通信することを許可されたデバイスのグループのリスティングを識別することを含む。いくつかの態様では、方法は、メッセージを復号して、時間期間中に第２の装置と通信することを許可された１つまたは複数の特定のデバイスの各々のインジケータを識別することをさらに含む。いくつかの態様では、第１の装置により、時間期間中の第２の装置との通信を制限することは、復号に基づいて、第１の装置が受信されたメッセージによって識別されるかどうかを決定することと、第１の装置が識別された場合、時間期間中に第２の装置にメッセージを送信することと、第１の装置が識別されなかった場合、時間期間中に第２の装置にメッセージを送信しないこととをさらに含む。
【００９８】
[0098]開示される別の態様は、ワイヤレス通信用の第１の装置である。第１の装置は、ワイヤレス通信ネットワークから受信されたメッセージを復号して、少なくとも１つの特定のデバイスを識別することと、メッセージを復号して、その間に少なくとも１つの特定のデバイスが第２の装置と通信することを許可される時間期間を識別することと、時間期間中の第２の装置との通信を制限することとを行うように構成された処理システムを含む。いくつかの態様では、処理システムは、受信されたメッセージを制限されたアクセスウィンドウのメッセージとして復号するようにさらに構成される。いくつかの態様では、処理システムは、制限されたアクセスウィンドウのメッセージに基づいて、制限されたアクセスウィンドウの開始時間と持続時間とを決定するようにさらに構成される。いくつかの態様では、処理システムは、制限されたアクセスウィンドウのメッセージを復号して、ウィンドウの間第２の装置と通信することを許可された１つまたは複数の特定のデバイスのリストを識別するようにさらに構成される。いくつかの態様では、処理システムは、メッセージを復号して、時間期間中に第２の装置と通信することを許可された１つまたは複数の特定のデバイスの各々のインジケータを識別するようにさらに構成される。いくつかの態様では、処理システムは、復号に基づいて、第１の装置が受信されたメッセージによって識別されるかどうかを決定することによって、時間期間中の第２の装置との通信を制限するように構成され、ここにおいて、第１の装置は、第１の装置が識別された場合、時間期間中に第２の装置にメッセージを送信するように構成された送信機をさらに備え、送信機は、第１の装置が識別されなかった場合、時間期間中に第２の装置にメッセージを送信しないようにさらに構成される。
【００９９】
[0099]開示される別の態様は、ワイヤレス通信の方法である。方法は、装置により、その間に１つまたは複数のデバイスが装置と通信することを許可されるウィンドウの持続時間の第１のインジケータを備える第１のメッセージを生成することと、ここにおいて、制限された持続時間はビーコン間隔の数を示す第１のインジケータに基づいて示される、装置により、第１のメッセージを送信することとを含む。いくつかの態様では、第１のインジケータが特定の値を示す場合、持続時間は制限されない。いくつかの態様では、第１のメッセージ内の第１のインジケータは、ウィンドウが無制限の持続時間を有することを示し、方法は、ウィンドウの更新された持続時間を示す第２のインジケータを備える第２のメッセージを生成することと、ここにおいて、第２のインジケータは、特定の値とは異なる値を示すことによって、更新された持続時間が制限されることを示す、装置により、第２のメッセージを送信することとをさらに含む。いくつかの態様では、第１のメッセージは、制限されたアクセスウィンドウ（ＲＡＷ）のメッセージとして生成され、ウィンドウは制限されたアクセスウィンドウである。いくつかの態様では、制限されたアクセスウィンドウ（ＲＡＷ）のメッセージは、制限されたアクセスウィンドウの開始時間を示す開始時間インジケータを備えるように生成される。いくつかの態様では、メッセージは、１つまたは複数のデバイスのリストを備えるように生成される。
【０１００】
[00100]開示される別の態様は、ワイヤレス通信用の装置である。装置は、その間に１つまたは複数のデバイスが装置と通信することを許可されるウィンドウの持続時間を示す第１のインジケータを備える第１のメッセージを生成するように構成された処理システムと、ここにおいて、制限された持続時間はビーコン間隔の数に基づいて示される、生成されたメッセージを送信するように構成された送信機とを含む。いくつかの態様では、第１のインジケータが特定の値を示す場合、持続時間は制限されない。いくつかの態様では、処理システムは、ウィンドウが無制限の持続時間を有することを示すように、第１のメッセージを生成するようにさらに構成され、処理システムは、ウィンドウの更新された持続時間を示す第２のインジケータを備える第２のメッセージを生成するようにさらに構成され、ここにおいて、第２のインジケータは、特定の値とは異なる値を示すことによって、更新された持続時間が制限されることを示し、送信機は、第２のメッセージを送信するようにさらに構成される。いくつかの態様では、第１のメッセージは、制限されたアクセスウィンドウ（ＲＡＷ）のメッセージとして生成され、ここにおいて、ウィンドウは制限されたアクセスウィンドウ（ＲＡＷ）である。いくつかの態様では、処理システムは、制限されたアクセスウィンドウ（ＲＡＷ）の開始時間を示す開始時間インジケータを備えるように、制限されたアクセスウィンドウ（ＲＡＷ）のメッセージを生成するようにさらに構成される。いくつかの態様では、処理システムは、１つまたは複数のデバイスのリストを備えるように、第１のメッセージを生成するようにさらに構成される。
【０１０１】
[00101]開示される別の態様は、ワイヤレス通信の方法である。方法は、第１の装置により、その間に１つまたは複数のデバイスが第２の装置と通信することを許可されるウィンドウの持続時間の第１のインジケータを備える第１のメッセージを復号することと、ここにおいて、制限された持続時間はビーコン間隔の数に基づいて第１のインジケータによって示される、第１の装置により、示された持続時間に基づいて、ウィンドウの間第２の装置に第２のメッセージを送信することとを含む。
【０１０２】
[00102]いくつかの態様では、方法はまた、第１のインジケータが特定の値を有する場合、ウィンドウが無制限の持続時間を有すると決定することを備えることを含む。いくつかの態様では、方法はまた、特定の値を示す第１のインジケータに基づいて、ウィンドウが無制限の持続時間を有すると決定することと、第２のインジケータを備える受信された第３のメッセージに基づいて、ウィンドウの更新された持続時間がビーコン間隔の数を示す第２のインジケータに基づいて制限されると決定することとを含む。いくつかの態様では、方法はまた、制限されたアクセスウィンドウのメッセージとして第１のメッセージを復号することを含み、ここにおいて、ウィンドウは制限されたアクセスウィンドウである。いくつかの態様では、方法は、制限されたアクセスウィンドウ（ＲＡＷ）のメッセージを復号して、制限されたアクセスウィンドウの開始時間を示す開始時間インジケータを識別することを含む。いくつかの態様では、方法はまた、第１のメッセージを復号して、ウィンドウの間装置と通信することを許可された１つまたは複数のデバイスのリストを識別することを含む。
【０１０３】
[00103]開示される別の態様は、ワイヤレス通信用の第１の装置である。方法は、その間に１つまたは複数のデバイスが第２の装置と通信することを許可されるウィンドウの持続時間の第１のインジケータを備える第１のメッセージを復号するように構成された処理システムと、ここにおいて、制限された持続時間はビーコン間隔の数に基づいて第１のインジケータによって示される、ウィンドウの間第２の装置に第２のメッセージを送信するように構成された送信機とを含む。いくつかの態様では、処理システムは、第１のインジケータが特定の値を有する場合、ウィンドウが無制限の持続時間を有すると決定するようにさらに構成される。いくつかの態様では、処理システムは、特定の値を示す第１のインジケータに基づいてウィンドウが無制限の持続時間を有すると決定するようにさらに構成され、処理システムは、第２のインジケータを備える受信された第３のメッセージに基づいて、更新された持続時間を決定し、特定の値とは異なる値を示す第２のインジケータに基づいて、更新された持続時間が制限されると決定するようにさらに構成される。
【０１０４】
[00104]いくつかの態様では、処理システムは、制限されたアクセスウィンドウのメッセージとして第１の受信されたメッセージを復号するようにさらに構成され、ここにおいて、ウィンドウは制限されたアクセスウィンドウである。いくつかの態様では、処理システムは、制限されたアクセスウィンドウ（ＲＡＷ）のメッセージを復号して、制限されたアクセスウィンドウ（ＲＡＷ）のメッセージに含まれる開始時間インジケータに基づいて、制限されたアクセスウィンドウの開始時間を決定するようにさらに構成される。いくつかの態様では、処理システムは、第１のメッセージを復号して、１つまたは複数のデバイスのリストを識別するようにさらに構成される。
【０１０５】
[00105]開示される別の態様は、ワイヤレス通信の方法である。方法は、装置により、その間に１つまたは複数のデバイスが装置と通信することを許可されるウィンドウを各々が有するビーコン間隔の数を示す第１のインジケータを備える第１のメッセージを生成することと、装置により、第１のメッセージを送信することとを含む。いくつかの態様では、第１のインジケータが特定の値を示す場合、ビーコン間隔の数は制限されない。いくつかの態様では、第１のメッセージ内の第１のインジケータは、ビーコン間隔の数が制限されないことを示し、方法は、特定の値とは異なる値を示すことによって、その間に１つまたは複数のデバイスが装置と通信することを許可されるウィンドウを各々が有するビーコン間隔の制限された数を示す第２のインジケータを備える第２のメッセージを生成することと、装置により、第２のメッセージを送信することとをさらに含む。いくつかの態様では、方法は、生のパラメータセット（ＲＰＳ）の要素を生成することを備える、第１のメッセージを生成することをさらに含む。いくつかの態様では、第１のメッセージは、ビーコン間隔内のウィンドウの各々の開始時間を示す開始時間インジケータを備えるように生成される。いくつかの態様では、第１のメッセージは、ビーコン間隔内のウィンドウの各々の持続時間を示す持続時間インジケータをさらに備える。いくつかの態様では、メッセージは、１つまたは複数のデバイスのリストを備えるように生成される。
【０１０６】
[00106]開示される別の態様は、ワイヤレス通信用の装置である。装置は、その間に１つまたは複数のデバイスが装置と通信することを許可されるウィンドウを各々が有するビーコン間隔の数を示す第１のインジケータを備える第１のメッセージを生成するように構成された処理システムと、生成されたメッセージを送信するように構成された送信機とを含む。いくつかの態様では、第１のインジケータが特定の値を示す場合、ビーコン間隔の数は制限されない。装置のいくつかの態様では、処理システムは、ビーコン間隔の数が制限されないことを示すように、第１のメッセージを生成するようにさらに構成され、処理システムは、特定の値とは異なる値を示すことによって、その間に１つまたは複数のデバイスが装置と通信することを許可されるウィンドウを有するビーコン間隔の制限された数を示す第２のインジケータを備える第２のメッセージを生成するようにさらに構成され、送信機は、第２のメッセージを送信するようにさらに構成される。装置のいくつかの態様では、第１のメッセージを生成することは、生のパラメータセット（ＲＰＳ）の要素を生成することを含む。
【０１０７】
[00107]装置のいくつかの態様では、処理システムは、ビーコン間隔内の各ウィンドウの開始時間を示す開始時間インジケータを備えるように、第１のメッセージを生成するようにさらに構成される。いくつかの態様では、処理システムは、ビーコン間隔内の各ウィンドウの持続時間を示す持続時間インジケータを備えるように、第１のメッセージを生成するようにさらに構成される。いくつかの態様では、処理システムは、１つまたは複数のデバイスのリストを備えるように、第１のメッセージを生成するようにさらに構成される。
【０１０８】
[00108]開示される別の態様は、ワイヤレス通信の方法である。方法は、第１の装置により、その間に１つまたは複数のデバイスが第２の装置と通信することを許可されるウィンドウを各々が有するビーコン間隔の数を示す第１のインジケータを備える第１のメッセージを復号することと、第１の装置により、第１のインジケータに基づくウィンドウのうちの１つの間第２の装置に第２のメッセージを送信することとを含む。いくつかの態様では、方法は、第１のインジケータが特定の値を有する場合、ビーコン間隔の数が制限されないと決定することをさらに含む。いくつかの態様では、方法はまた、特定の値を示す第１のインジケータに基づいて、ビーコン間隔の数が制限されないと決定することと、第２のインジケータを備える受信された第３のメッセージに基づいて、特定の値とは異なるビーコン間隔の数を示す第２のインジケータに基づく、その間に１つまたは複数のデバイスが第２の装置と通信することを許可されるウィンドウを各々が有するビーコン間隔の制限された数を決定することとを含む。いくつかの態様では、方法は、第１のメッセージを復号して、ビーコン間隔内の各ウィンドウの開始時間を示す開始時間インジケータを識別することをさらに含む。いくつかの態様では、方法はまた、第１のメッセージを復号して、ビーコン間隔内の各ウィンドウの持続時間を示す持続時間インジケータを識別することを含む。いくつかの態様では、方法は、第１のメッセージを復号して、ウィンドウの間装置と通信することを許可された１つまたは複数のデバイスのリストを識別することをさらに含む。
【０１０９】
[00109]開示される別の態様は、ワイヤレス通信用の第１の装置である。方法は、その間に１つまたは複数のデバイスが第２の装置と通信することを許可されるウィンドウを各々が有するビーコン間隔の数の第１のインジケータを備える第１のメッセージを復号するように構成された処理システムと、第１のインジケータに基づくウィンドウのうちの１つの間第２の装置に第２のメッセージを送信するように構成された送信機とを含む。いくつかの態様では、処理システムは、第１のインジケータが特定の値を有する場合、ビーコン間隔の数が制限されないと決定するようにさらに構成される。いくつかの態様では、処理システムは、特定の値を示す第１のインジケータに基づいて、ビーコン間隔の数が制限されないと決定するようにさらに構成され、処理システムは、第２のインジケータを備える受信された第３のメッセージに基づいてビーコン間隔の更新された数を決定し、その間に１つまたは複数のデバイスが第２の装置と通信することを許可されるウィンドウを各々が有するビーコン間隔の更新された数が、特定の値とは異なる数を示す第２のインジケータに基づいて制限されると決定するようにさらに構成される。
【０１１０】
[00110]装置のいくつかの態様では、処理システムは、第１のメッセージを復号して、第１のメッセージに含まれる開始時間インジケータに基づいてビーコン間隔内の各ウィンドウの開始時間を決定するようにさらに構成される。装置のいくつかの態様では、処理システムは、第１のメッセージを復号して、第１のメッセージに含まれる持続時間インジケータに基づいてビーコン間隔内の各ウィンドウの持続時間を決定するようにさらに構成される。装置のいくつかの態様では、処理システムは、第１のメッセージを復号して、１つまたは複数のデバイスのリストを識別するようにさらに構成される。
【図面の簡単な説明】
【０１１１】
【図１】[00111]本開示の態様が採用され得るワイヤレス通信システムの一例を示す図。
【図２】[00112]図１のワイヤレス通信システム内で採用され得るワイヤレスデバイスの一例を示す図。
【図３】[00113]ワイヤレス通信を送信するために図２のワイヤレスデバイス内に含まれ得る構成要素の一例を示す図。
【図４】[00114]ワイヤレス通信を送信するために図２のワイヤレスデバイス内に含まれ得る構成要素の一例を示す図。
【図５】[00115]一実装形態によるワイヤレス通信の方法のフローチャート。
【図６】[00116]一実装形態によるワイヤレス通信の方法のフローチャート。
【図７】[00117]ワイヤレス通信の流れ方向を識別するメッセージの一実装形態を示す図。
【図８】[00118]一実装形態によるワイヤレス通信の方法のフローチャート。
【図９】[00119]一実装形態によるワイヤレス通信の方法のフローチャート。
【図１０】[00120]ワイヤレス通信の流れ方向を識別するメッセージの一実装形態を示す図。
【図１１】[00121]一実装形態によるワイヤレス通信の方法のフローチャート。
【図１２】[00122]一実装形態によるワイヤレス通信の方法のフローチャート。
【図１３】[00123]ワイヤレス通信の流れ方向を識別するメッセージの一実装形態を示す図。
【図１４】[00124]一実装形態によるワイヤレス通信の方法のフローチャート。
【図１５】[00125]一実装形態によるワイヤレス通信の方法のフローチャート。
【図１６】[00126]ワイヤレス通信の流れ方向を識別するメッセージの一実装形態を示す図。
【図１７】[00127]一実装形態によるワイヤレス通信の方法のフローチャート。
【図１８】[00128]一実装形態によるワイヤレス通信の方法のフローチャート。
【図１９】[00129]ワイヤレス通信の流れ方向を識別するメッセージの一実装形態を示す図。
【図２０】[00130]一実装形態によるワイヤレス通信の方法のフローチャート。
【図２１】[00131]一実装形態によるワイヤレス通信の方法のフローチャート。
【図２２】[00132]一実装形態によるワイヤレス通信の方法のフローチャート。
【図２３】[00133]一実装形態によるワイヤレス通信の方法のフローチャート。
【発明を実施するための形態】
【０１１２】
[00134]添付の図面を参照して、新規のシステム、装置、および方法の様々な態様が、以下でより十分に記載される。しかしながら、教示する開示は、多くの異なる形態で具現化される場合があり、本開示全体にわたって提示される任意の特定の構造または機能に限定されるものと解釈されるべきではない。むしろ、これらの態様は、本開示が完璧かつ完全になり、本開示の範囲を当業者に十分に伝えるように、提供される。本明細書の教示に基づいて、本開示の範囲は、本発明の任意の他の態様とは無関係に実装されるか、本発明の任意の他の態様と組み合わされるかにかかわらず、本明細書で開示される新規のシステム、装置、および方法の任意の態様を包含するものであることを、当業者は諒解されたい。たとえば、本明細書に記載された態様をいくつ使用しても、装置は実装され得るか、または方法は実践され得る。加えて、本発明の範囲は、本明細書に記載された本発明の様々な態様に加えて、またはそれらの態様以外に、他の構造、機能、または構造と機能とを使用して実践される、そのような装置または方法を包含するものである。本明細書で開示される任意の態様が、請求項の１つまたは複数の要素によって具現化され得ることを理解されたい。
【０１１３】
[00135]本明細書では特定の態様が記載されるが、これらの態様の多くの変形形態および置換は本開示の範囲内に入る。好適な態様のいくつかの利益および利点が言及されるが、本開示の範囲は、特定の利益、使用、または目的に限定されるものではない。むしろ、本開示の態様は、様々なワイヤレス技術、システム構成、ネットワーク、および送信プロトコルに広く適用可能なものであり、そのうちのいくつかが図面および好適な態様の以下の説明において例として示される。発明を実施するための形態および図面は、限定的なものではなく、本開示を説明するものにすぎず、本開示の範囲は、添付の特許請求の範囲およびその均等物によって定義される。
【０１１４】
[00136]ワイヤレスネットワーク技術は、様々なタイプのワイヤレスローカルエリアネットワーク（ＷＬＡＮ）を含む場合がある。ＷＬＡＮは、広く使用されるネットワーキングプロトコルを採用して、近くのデバイスを一緒に相互接続するために使用され得る。本明細書に記載される様々な態様は、ＷｉＦｉ（登録商標）、またはより一般的には、ワイヤレスプロトコルのＩＥＥＥ８０２．１１ファミリの任意のメンバなどの任意の通信規格に適用することができる。たとえば、本明細書に記載された様々な態様は、サブ１ＧＨｚ帯域を使用するＩＥＥＥ８０２．１１ａｈプロトコルの一部として使用され得る。
【０１１５】
[00137]いくつかの態様では、サブギガヘルツ帯域内のワイヤレス信号は、直交周波数分割多重（ＯＦＤＭ）、直接シーケンス拡散スペクトル（ＤＳＳＳ）通信、ＯＦＤＭ通信とＤＳＳＳ通信との組合せ、または他の方式を使用して、８０２．１１ａｈプロトコルに従って送信され得る。８０２．１１ａｈプロトコルの実装形態は、センサ、検針、およびスマートグリッドネットワークに使用され得る。有利なことに、８０２．１１ａｈプロトコルを実装するいくつかのデバイスの態様は、他のワイヤレスプロトコルを実装するデバイスよりも消費する電力が少ない場合があり、かつ／または、比較的長い距離、たとえば約１キロメートル以上にわたってワイヤレス信号を送信するために使用され得る。
【０１１６】
[00138]いくつかの実装形態では、ＷＬＡＮは、ワイヤレスネットワークにアクセスする構成要素である様々なデバイスを含む。たとえば、２つのタイプのデバイス、すなわちアクセスポイント（「ＡＰ」）および（ステーションまたは「ＳＴＡ」とも呼ばれる）クライアントが存在する場合がある。一般に、ＡＰはＷＬＡＮのためのハブまたは基地局として働き、ＳＴＡはＷＬＡＮのユーザとして働く。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的な接続性を取得するために、ＷｉＦｉ（たとえば、８０２．１１ａｈなどのＩＥＥＥ８０２．１１プロトコル）準拠のワイヤレスリンクを介してＡＰに接続する。いくつかの実装形態では、ＳＴＡはＡＰとして使用される場合もある。
【０１１７】
[00139]アクセスポイント（「ＡＰ」）はまた、ノードＢ、無線ネットワークコントローラ（「ＲＮＣ」）、ｅノードＢ、基地局コントローラ（「ＢＳＣ」）、トランシーバ基地局（「ＢＴＳ」）、基地局（「ＢＳ」）、トランシーバ機能（「ＴＦ」）、無線ルータ、無線トランシーバ、もしくは他の何らかの用語を備えるか、それらのいずれかとして実装されるか、またはそれらのいずれかとして知られる場合がある。アクセスポイントは、幹線基地局または中継基地局であり得る。中継基地局は、ワイヤレスステーションと、幹線基地局または別の中継基地局である別の基地局との間でデータを中継する。
【０１１８】
[00140]ステーション「ＳＴＡ」はまた、アクセス端末（「ＡＴ」）、加入者局、加入者ユニット、移動局、リモートステーション、リモート端末、ユーザ端末、ユーザエージェント、ユーザデバイス、ユーザ機器、もしくは何らかの他の用語を備えるか、それらのいずれかとして実装されるか、またはそれらのいずれかとして知られる場合がある。いくつかの実装形態では、アクセス端末は、携帯電話、コードレス電話、セッション開始プロトコル（「ＳＩＰ」）電話、ワイヤレスローカルループ（「ＷＬＬ」）ステーション、携帯情報端末（「ＰＤＡ」）、ワイヤレス接続機能を有するハンドヘルドデバイス、またはワイヤレスモデムに接続された何らかの他の好適な処理デバイスを備える場合がある。したがって、本明細書で教示された１つまたは複数の態様は、電話（たとえば、携帯電話もしくはスマートフォン）、コンピュータ（たとえば、ラップトップ）、ポータブル通信デバイス、ヘッドセット、ポータブルコンピューティングデバイス（たとえば、携帯情報端末）、エンターテインメントデバイス（たとえば、音楽デバイスもしくはビデオデバイス、または衛星ラジオ）、ゲームデバイスもしくはゲームシステム、全地球測位システムデバイス、または、ワイヤレス媒体を介して通信するように構成された任意の他の適切なデバイスに組み込まれる場合がある。
【０１１９】
[00141]上記で説明されたように、本明細書に記載されるデバイスのいくつかは、たとえば、８０２．１１ａｈ規格を実装することができる。そのようなデバイスは、ＳＴＡとして使用されるか、ＡＰとして使用されるか、他のデバイスとして使用されるかにかかわらず、スマート検針用に、またはスマートグリッドネットワークにおいて使用され得る。そのようなデバイスは、センサへの適用例を提供するか、またはホームオートメーションにおいて使用され得る。デバイスは、代わりにまたは加えて、たとえば個人の健康管理のために、健康管理の状況において使用され得る。それらはまた、（たとえばホットスポットとともに使用するための）広範囲のインターネット接続を可能にするために、または機械間通信を実装するために、監視に使用され得る。
【０１２０】
[00142]図１は、本開示の態様が採用され得るワイヤレス通信システム１００の一例を示す。ワイヤレス通信システム１００は、ワイヤレス規格、たとえば８０２．１１ａｈ規格に従って動作することができる。ワイヤレス通信システム１００は、ＳＴＡ１０６と通信するＡＰ１０４を含む場合がある。
【０１２１】
[00143]様々なプロセスおよび方法は、ＡＰ１０４とＳＴＡ１０６との間の、ワイヤレス通信システム１００における送信に使用される場合がある。たとえば、信号は、ＯＦＤＭ／ＯＦＤＭＡ技法に従って、ＡＰ１０４とＳＴＡ１０６との間で送受信される場合がある。この場合、ワイヤレス通信システム１００は、ＯＦＤＭ／ＯＦＤＭＡシステムと呼ばれる場合がある。代替として、信号は、ＣＤＭＡ技法に従って、ＡＰ１０４とＳＴＡ１０６との間で送受信される場合がある。この場合、ワイヤレス通信システム１００は、ＣＤＭＡシステムと呼ばれる場合がある。
【０１２２】
[00144]ＡＰ１０４からＳＴＡ１０６のうちの１つまたは複数への送信を容易にする通信リンクはダウンリンク（ＤＬ）１０８と呼ばれる場合があり、ＳＴＡ１０６のうちの１つまたは複数からＡＰ１０４への送信を容易にする通信リンクはアップリンク（ＵＬ）１１０と呼ばれる場合がある。代替として、ダウンリンク１０８は順方向リンクまたは順方向チャネルと呼ばれる場合があり、アップリンク１１０は逆方向リンクまたは逆方向チャネルと呼ばれる場合がある。
【０１２３】
[00145]ＡＰ１０４は、基地局として働き、基本サービスエリア（ＢＳＡ）１０２においてワイヤレス通信カバレージを提供することができる。ＡＰ１０４は、ＡＰ１０４に関連付けられ、通信にＡＰ１０４を使用するＳＴＡ１０６とともに、基本サービスセット（ＢＳＳ）と呼ばれる場合がある。ワイヤレス通信システム１００は、中央ＡＰ１０４を有していない場合があり、むしろ、ＳＴＡ１０６間のピアツーピアネットワークとして機能する場合があることに留意されたい。したがって、本明細書に記載されたＡＰ１０４の機能は、ＳＴＡ１０６のうちの１つまたは複数によって代替的に実行される場合がある。
【０１２４】
[00146]ＳＴＡ１０６は、タイプが限定されず、多種多様なＳＴＡを含む場合がある。たとえば、図１に示されたように、ＳＴＡ１０６には、いくつか例を挙げると、携帯電話１０６ａ、テレビジョン１０６ｂ、ラップトップ１０６ｃ、およびいくつかのセンサ１０６ｄ（たとえば、ワイヤレスプロトコルを使用して通信することが可能な気象センサまたは他のセンサ）が含まれ得る。
【０１２５】
[00147]図２は、ワイヤレス通信システム１００内で採用され得るワイヤレスデバイス２０２において利用され得る様々な構成要素を示す。ワイヤレスデバイス２０２は、本明細書に記載される様々な方法を実装するように構成され得るデバイスの一例である。たとえば、ワイヤレスデバイス２０２は、ＡＰ１０４、またはＳＴＡ１０６のうちの１つを備える場合がある。
【０１２６】
[00148]ワイヤレスデバイス２０２は、ワイヤレスデバイス２０２の動作を制御するプロセッサ２０４を含む場合がある。プロセッサ２０４は、中央処理装置（ＣＰＵ）と呼ばれる場合もある。読取り専用メモリ（ＲＯＭ）とランダムアクセスメモリ（ＲＡＭ）の両方を含む場合があるメモリ２０６は、プロセッサ２０４に命令とデータとを供給する。メモリ２０６の一部分は、不揮発性ランダムアクセスメモリ（ＮＶＲＡＭ）を含む場合もある。プロセッサ２０４は、通常、メモリ２０６内に記憶されたプログラム命令に基づいて、論理演算と算術演算とを実行する。メモリ２０６内の命令は、本明細書に記載される方法を実装するように実行可能であり得る。
【０１２７】
[00149]ワイヤレスデバイス２０２が送信ノードとして実装または使用されるとき、プロセッサ２０４は、複数の媒体アクセス制御（ＭＡＣ）ヘッダのタイプのうちの１つを選択し、そのＭＡＣヘッダのタイプを有するパケットを生成するように構成され得る。たとえば、プロセッサ２０４は、以下でさらに詳細に説明されるように、ＭＡＣヘッダとペイロードとを備えるパケットを生成し、どのタイプのＭＡＣヘッダを使用するかを決定するように構成され得る。
【０１２８】
[00150]ワイヤレスデバイス２０２が受信ノードとして実装または使用されるとき、プロセッサ２０４は、複数の異なるＭＡＣヘッダのタイプのパケットを処理するように構成され得る。たとえば、プロセッサ２０４は、以下でさらに説明されるように、パケット内で使用されるＭＡＣヘッダのタイプを決定し、それに応じてパケットおよび／またはＭＡＣヘッダのフィールドを処理するように構成され得る。
【０１２９】
[00151]プロセッサ２０４は、１つまたは複数のハードウェアプロセッサとともに実装された処理システムの構成要素を備える場合があるか、またはその構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別のハードウェア構成要素、専用のハードウェア有限状態機械、または、情報の計算もしくは他の操作を実行することができる任意の他の適切なエンティティの任意の組合せで実装される場合がある。
【０１３０】
[00152]処理システムは、ソフトウェアを記憶するための機械可読媒体を含む場合もある。ソフトウェアは、ソフトウェアと呼ばれるか、ファームウェアと呼ばれるか、ミドルウェアと呼ばれるか、マイクロコードと呼ばれるか、ハードウェア記述言語と呼ばれるか、または別様に呼ばれるかにかかわらず、任意のタイプの命令を意味すると広く解釈されるべきである。命令は、（たとえば、ソースコード形式、バイナリコード形式、実行可能コード形式、またはコードの任意の他の適切な形式の）コードを含む場合がある。命令は、１つまたは複数のプロセッサによって実行されたとき、本明細書に記載される様々な機能を処理システムに実行させる。
【０１３１】
[00153]ワイヤレスデバイス２０２は、ワイヤレスデバイス２０２と遠隔地との間のデータの送信と受信とを可能にするために、送信機２１０と受信機２１２とを含む場合もある。さらに、送信機２１０および受信機２１２は、ワイヤレスデバイス２０２と、たとえばＡＰを含む遠隔地との間のセットアップおよび／または構成のパケットもしくはフレームの送信と受信とを可能にするように構成され得る。送信機２１０および受信機２１２は、トランシーバ２１４の中に組み合わされる場合がある。アンテナ２１６は、筐体２０８に取り付けられ、トランシーバ２１４に電気的に結合される場合がある。代替または追加として、ワイヤレスデバイス２０２は、筐体２０８の一部として形成されたアンテナ２１６を含む場合があるか、または内部アンテナであり得る。ワイヤレスデバイス２０２は、複数の送信機、複数の受信機、複数のトランシーバ、および／または複数のアンテナを含む場合もある（図示せず）。
【０１３２】
[00154]ワイヤレスデバイス２０２は、トランシーバ２１４によって受信された信号のレベルを検出し、定量化するために使用され得る、信号検出器２１８を含む場合もある。信号検出器２１８は、総エネルギー、シンボルごとのサブキャリア当たりのエネルギー、電力スペクトル密度、および他の信号などの信号を検出することができる。ワイヤレスデバイス２０２は、信号を処理する際に使用するデジタル信号プロセッサ（ＤＳＰ）２２０を含む場合もある。ＤＳＰ２２０は、送信用のデータユニットを生成するように構成され得る。いくつかの態様では、データユニットは物理レイヤデータユニット（ＰＰＤＵ）を備える場合がある。いくつかの態様では、ＰＰＤＵはパケットまたはフレームと呼ばれる。
【０１３３】
[00155]いくつかの態様では、ワイヤレスデバイス２０２は、ユーザインターフェース２２２をさらに備える場合がある。ユーザインターフェース２２２は、キーパッド、マイクロフォン、スピーカ、および／またはディスプレイを備える場合がある。ユーザインターフェース２２２は、ワイヤレスデバイス２０２のユーザに情報を伝え、かつ／またはユーザからの入力を受信する、任意の要素または構成要素を含む場合がある。
【０１３４】
[00156]ワイヤレスデバイス２０２の様々な構成要素は、筐体２０８内に収納される場合がある。さらに、ワイヤレスデバイス２０２の様々な構成要素は、バスシステム２２６によって互いに結合される場合がある。バスシステム２２６は、たとえば、データバス、ならびに、データバスに加えて、電力バスと、制御信号バスと、ステータス信号バスとを含む場合がある。ワイヤレスデバイス２０２の構成要素は、何らかの他の機構を使用して、互いに結合される場合があるか、または互いに対する入力を受け入れるか、もしくは提供することができることを、当業者は諒解されよう。
【０１３５】
[00157]図２にはいくつかの別個の構成要素が示されているが、構成要素のうちの１つまたは複数が組み合わされるか、または共通に実装される場合があることを、当業者は認識されよう。たとえば、プロセッサ２０４は、プロセッサ２０４に関して上述された機能を実装するためだけでなく、信号検出器２１８および／またはＤＳＰ２２０に関して上述された機能を実装するためにも使用され得る。さらに、図２に示された構成要素の各々は、複数の別個の要素を使用して実装される場合がある。
【０１３６】
[00158]上記で説明されたように、ワイヤレスデバイス２０２は、ＡＰ１０４またはＳＴＡ１０６を備える場合があり、通信を送信および／または受信するために使用され得る。図３は、ワイヤレス通信を送信するためにワイヤレスデバイス２０２において利用され得る様々な構成要素を示す。図３に示された構成要素は、たとえば、ＯＦＤＭ通信を送信するために使用され得る。いくつかの態様では、図３に示された構成要素は、以下でさらに詳細に説明されるように、ピーク対電力平均比が可能な限り低いトレーニングフィールドを有するデータユニットを送信するために使用される。参照しやすいように、図３に示された構成要素で構成されるワイヤレスデバイス２０２を、以下ワイヤレスデバイス２０２ａと呼ぶ。
【０１３７】
[00159]ワイヤレスデバイス２０２ａは、送信用のビットを変調するように構成された変調器３０２を備える場合がある。たとえば、変調器３０２は、たとえばコンスタレーションに従ってビットを複数のシンボルにマッピングすることによって、プロセッサ２０４またはユーザインターフェース２２２から受信されたビットから複数のシンボルを決定することができる。それらのビットは、ユーザデータまたは制御情報に対応する場合がある。いくつかの態様では、それらのビットはコードワードにおいて受信される。一態様では、変調器３０２は、ＱＡＭ（直交振幅変調）変調器、たとえば１６ＱＡＭ変調器または６４ＱＡＭ変調器を備える。他の態様では、変調器３０２は、２位相シフトキーイング（ＢＰＳＫ）変調器または４位相シフトキーイング（ＱＰＳＫ）変調器を備える。
【０１３８】
[00160]ワイヤレスデバイス２０２ａは、変調器３０２からのシンボル、または場合によっては変調されたビットを時間領域に変換するように構成された変換モジュール３０４をさらに備える場合がある。図３では、変換モジュール３０４は、逆高速フーリエ変換（ＩＦＦＴ）モジュールによって実装されるものとして示されている。いくつかの実装形態では、異なるサイズのデータのユニットを変換する複数の変換モジュール（図示せず）が存在する場合がある。
【０１３９】
[00161]図３では、変調器３０２および変換モジュール３０４は、ＤＳＰ２２０内に実装されるものとして示されている。しかしながら、いくつかの態様では、変調器３０２および変換モジュール３０４の一方または両方は、プロセッサ２０４内またはワイヤレスデバイス２０２の別の要素内に実装される。
【０１４０】
[00162]上記で説明されたように、ＤＳＰ２２０は、送信用のデータユニットを生成するように構成され得る。いくつかの態様では、変調器３０２および変換モジュール３０４は、制御情報を含む複数のフィールドと複数のデータシンボルとを備えるデータユニットを生成するように構成され得る。制御情報を含むそれらのフィールドは、たとえば、１つまたは複数のトレーニングフィールドと、１つまたは複数の信号（ＳＩＧ）フィールドとを備える場合がある。トレーニングフィールドの各々は、既知のビットまたはシンボルのシーケンスを含む場合がある。ＳＩＧフィールドの各々は、データユニットについての情報、たとえばデータユニットの長さまたはデータレートの記述を含む場合がある。
【０１４１】
[00163]図３の説明に戻ると、ワイヤレスデバイス２０２ａは、変換モジュールの出力をアナログ信号に変換するように構成されたデジタルアナログ変換器３０６をさらに備える場合がある。たとえば、変換モジュール３０６の時間領域出力は、デジタルアナログ変換器３０６によってベースバンドＯＦＤＭ信号に変換され得る。デジタルアナログ変換器３０６は、プロセッサ２０４内またはワイヤレスデバイス２０２の別の要素内に実装される場合がある。いくつかの態様では、デジタルアナログ変換器３０６は、トランシーバ２１４内またはデータ送信プロセッサ内に実装される。
【０１４２】
[00164]アナログ信号は、送信機２１０によってワイヤレスに送信され得る。アナログ信号は、送信機２１０によって送信される前に、たとえばフィルタ処理されることによって、または中間周波数もしくは搬送周波数にアップコンバートされることによって、さらに処理され得る。図３に示された実装形態では、送信機２１０は送信増幅器３０８を含む。送信されるより前に、アナログ信号は送信増幅器３０８によって増幅され得る。いくつかの態様では、増幅器３０８は低雑音増幅器（ＬＮＡ）を備える。
【０１４３】
[00165]送信機２１０は、アナログ信号に基づいてワイヤレス信号内の１つまたは複数のパケット、フレーム、またはデータユニットを送信するように構成される。それらのデータユニットは、プロセッサ２０４および／またはＤＳＰ２２０を使用して、たとえば上記で説明されたように変調器３０２と変換モジュール３０４とを使用して、生成され得る。
【０１４４】
[00166]図４は、ワイヤレス通信を受信するためにワイヤレスデバイス２０２において利用され得る様々な構成要素を示す。図４に示された構成要素は、たとえば、ＯＦＤＭ通信を受信するために使用され得る。いくつかの実装形態では、図４に示された構成要素は、以下でさらに詳細に説明されるように、１つまたは複数のトレーニングフィールドを含むパケット、フレーム、またはデータユニットを受信するために使用される。たとえば、図４に示された構成要素は、図３に関して上記で説明された構成要素によって送信されたデータユニットを受信するために使用され得る。参照しやすいように、図４に示された構成要素で構成されるワイヤレスデバイス２０２を、以下ワイヤレスデバイス２０２ｂと呼ぶ。
【０１４５】
[00167]受信機２１２は、ワイヤレス信号内の１つまたは複数のパケット、フレーム、またはデータユニットを受信するように構成される。
【０１４６】
[00168]図４に示された実装形態では、受信機２１２は受信増幅器４０１を含む。受信増幅器４０１は、受信機２１２によって受信されたワイヤレス信号を増幅するように構成され得る。いくつかの態様では、受信機２１２は、自動利得制御（ＡＧＣ）手順を使用して、受信増幅器４０１の利得を調整するように構成される。いくつかの態様では、自動利得制御は、たとえば、利得を調整するために、受信されたショートトレーニングフィールド（ＳＴＦ）などの１つまたは複数の受信されたトレーニングフィールド内の情報を使用する。当業者はＡＧＣを実行するための方法を理解されよう。いくつかの態様では、増幅器４０１はＬＮＡを備える。
【０１４７】
[00169]ワイヤレスデバイス２０２ｂは、受信機２１２からの増幅されたワイヤレス信号をそれのデジタル表現に変換するように構成された、アナログデジタル変換器４０２を備える場合がある。増幅されることに加えて、ワイヤレス信号は、デジタルアナログ変換器４０２によって変換される前に、たとえばフィルタ処理されることによって、または中間周波数もしくはベースバンド周波数にダウンコンバートされることによって、処理され得る。アナログデジタル変換器４０２は、プロセッサ２０４内またはワイヤレスデバイス２０２の別の要素内に実装される場合がある。いくつかの態様では、アナログデジタル変換器４０２は、トランシーバ２１４内またはデータ受信プロセッサ内に実装される。
【０１４８】
[00170]ワイヤレスデバイス２０２ｂは、ワイヤレス信号の表現を周波数スペクトルに変換するように構成された変換モジュール４０４をさらに備える場合がある。図４では、変換モジュール４０４は、高速フーリエ変換（ＦＦＴ）モジュールによって実装されるものとして示されている。いくつかの態様では、変換モジュールは、それが使用するポイントごとにシンボルを識別することができる。
【０１４９】
[00171]ワイヤレスデバイス２０２ｂは、データユニットがそれを介して受信されるチャネルの推定値を形成することと、チャネル推定値に基づいてチャネルのいくつかの影響を除去することとを行うように構成された、チャネル推定器兼等化器４０５をさらに備える場合がある。たとえば、チャネル推定器は、チャネルの関数を近似するように構成され得るし、チャネル等化器は、その関数の逆を周波数スペクトル内のデータに適用するように構成され得る。
【０１５０】
[00172]いくつかの態様では、チャネル推定器兼等化器４０５は、たとえば、チャネルを推定するために、ロングトレーニングフィールド（ＬＴＦ）などの１つまたは複数の受信されたトレーニングフィールド内の情報を使用する。チャネル推定値は、データユニットの始めにおいて受信された１つまたは複数のＬＴＦに基づいて形成され得る。このチャネル推定値は、その後、１つまたは複数のＬＴＦに続くデータシンボルを等化するために使用され得る。一定の時間期間の後または一定数のデータシンボルの後に、データユニット内で１つまたは複数の追加のＬＴＦが受信され得る。追加のＬＴＦを使用して、チャネル推定値が更新され得るか、または新しい推定値が形成され得る。この新しいまたは更新されたチャネル推定値は、追加のＬＴＦに続くデータシンボルを等化するために使用され得る。いくつかの態様では、新しいまたは更新されたチャネル推定値は、追加のＬＴＦに先行するデータシンボルを再等化するために使用される。当業者はチャネル推定値を形成するための方法を理解されよう。
【０１５１】
[00173]ワイヤレスデバイス２０２ｂは、等化されたデータを復調するように構成された復調器４０６をさらに備える場合がある。たとえば、復調器４０６は、たとえばコンスタレーションにおいてビットとシンボルとのマッピングを逆転させることによって、変換モジュール４０４およびチャネル推定器兼等化器４０５によって出力されたシンボルから複数のビットを決定することができる。それらのビットは、プロセッサ２０４によって処理または評価され得るか、またはユーザインターフェース２２２に情報を表示するか、もしくは場合によっては出力するために使用され得る。このようにして、データおよび／または情報が復号され得る。いくつかの態様では、それらのビットはコードワードに対応する。一態様では、復調器４０６は、ＱＡＭ（直交振幅変調）復調器、たとえば１６ＱＡＭ復調器または６４ＱＡＭ復調器を備える。他の態様では、復調器４０６は、２位相シフトキーイング（ＢＰＳＫ）復調器または４位相シフトキーイング（ＱＰＳＫ）復調器を備える。
【０１５２】
[00174]図４では、変換モジュール４０４、チャネル推定器兼等化器４０５、および復調器４０６は、ＤＳＰ２２０内に実装されるものとして示されている。しかしながら、いくつかの態様では、変換モジュール４０４、チャネル推定器兼等化器４０５、および復調器４０６のうちの１つまたは複数は、プロセッサ２０４内またはワイヤレスデバイス２０２の別の要素内に実装される。
【０１５３】
[00175]上記で説明されたように、受信機２１２において受信されたワイヤレス信号は、１つまたは複数のデータユニットを備える。上記で説明された機能または構成要素を使用して、データユニットまたはその中のデータシンボルは、復号され評価されるか、または場合によっては評価もしくは処理され得る。たとえば、プロセッサ２０４および／またはＤＳＰ２２０は、変換モジュール４０４と、チャネル推定器兼等化器４０５と、復調器４０６とを使用して、データユニット内のデータシンボルを復号するために使用され得る。
【０１５４】
[00176]ＡＰ１０４およびＳＴＡ１０６によって交換されるデータユニットは、上記で説明されたように、制御情報またはデータを含む場合がある。物理（ＰＨＹ）レイヤにおいて、これらのデータユニットは、物理レイヤプロトコルデータユニット（ＰＰＤＵ）と呼ばれる場合がある。いくつかの態様では、ＰＰＤＵは、パケット、フレーム、または物理レイヤパケットと呼ばれる場合がある。各ＰＰＤＵはプリアンブルとペイロードとを備える場合がある。プリアンブルはトレーニングフィールドとＳＩＧフィールドとを含む場合がある。ペイロードは、たとえば、媒体アクセス制御（ＭＡＣ）ヘッダもしくは他のレイヤ用のデータ、および／またはユーザデータを備える場合がある。ペイロードは、１つまたは複数のデータシンボルを使用して送信され得る。本明細書のシステム、方法、およびデバイスは、ピーク対電力比が最小限に抑えられたトレーニングフィールドを有するデータユニットを利用することができる。
【０１５５】
[00177]ワイヤレスプロトコルのＩＥＥＥ８０２．１１ファミリにおいて指定されたワイヤレス通信などのワイヤレス通信では、複数のステーションは、媒体アクセス制御のプロトコルを使用して伝送媒体を共有する。データ転送をサポートする管理フレームおよび制御フレームのうちの１つであるビーコンフレームは、規則正しく通信を確立し維持するために使用され得る。８０２．１１ａｈプロトコルにおいて指定されたアプリケーションなどのいくつかのアプリケーションでは、制限されたアクセスウィンドウは、アクセスポイントがワイヤレスステーションの選択されたグループ用に確保されたものとして宣言する時間の期間を定義するために使用され得る。しかしながら、アクセスポイントに関連付けられていないステーションは、制限されたアクセスウィンドウがオープンされたとき、媒体を競合することができない。加えて、制限されたアクセスウィンドウは、現在、アップリンク送信またはダウンリンク送信のみであるように、具体的に定義され得ない。したがって、アクセスポイントが関連しないステーションからメッセージを受け入れる時間期間を定義するメッセージを有することは有益である。制限されたアクセスウィンドウの間許可される通信のタイプを指定する能力を実現することはさらに有益である。
【０１５６】
[00178]以下に記載される実装形態では、アクセスポイント（ＡＰ）は、アクセスポイントがワイヤレスステーションの選択されたグループ用に確保されたものとして宣言する時間の期間のメッセージを生成し、関連するワイヤレスステーションにそのメッセージを送る。メッセージを受信すると、ワイヤレスステーションは、識別された時間期間中にアクセスポイントにパケットを送信することができる。一実装形態では、メッセージは、時間の期間中に関連しないステーションがアクセスポイントに要求を送信することを許可されるかどうかに関する指示を示す。別の実装形態では、メッセージは、時間期間中のステーションとアクセスポイントとの間の通信の種類を示す。たとえば、メッセージは、時間期間中の通信がアップリンクデータを含むか、ダウンリンクデータを含むか、または両方を含むかを示す場合がある。一実装形態では、メッセージは、アクセスポイントに関連付けられたすべてのワイヤレスステーションに送られる。これらの実装形態は、とりわけＩＥＥＥ８０２．１１および／または８０２．１１ａｈに関連付けられたプロセスおよび規格に適用され得る。
【０１５７】
[00179]図５は、一実装形態によるワイヤレス通信の方法のフローチャートである。方法５００は、（図１に示された）アクセスポイント（ＡＰ）１０４または図２に示されたワイヤレスデバイス２０２などの、ワイヤレス通信用の装置によって実施され得る。方法５００により、そのようなデータ転送用に確保された時間期間中のアクセスポイントと１つまたは複数のステーションとの間のデータ転送の改善された管理が可能になり得る。そのような時間期間は有限持続時間なので、時間期間中に転送され得るトラフィックのタイプを指定すると、ワイヤレス通信ネットワークのより効率的な動作がもたらされ得る。
【０１５８】
[00180]ブロック５０２で、方法は、その中で装置が１つまたは複数のワイヤレスデバイスとメッセージを通信するべき時間期間を識別するメッセージを生成することを含む。メッセージは、ワイヤレス通信の流れ方向をさらに示す。一態様では、メッセージ内のワイヤレス通信の流れ方向のインジケータは、時間期間中のメッセージの通信がアップリンクデータかダウンリンクデータかを示す。たとえば、メッセージは、時間期間中にプロセス５００を実行する装置がメッセージを送信するかメッセージを受信するかを示すように生成される場合がある。一態様では、メッセージは、ダウンリンクデータおよびアップリンクデータの優先順位を示すように生成される。たとえば、メッセージは、ダウンリンクデータがアップリンクデータよりも優先順位が高いことを示すように生成される場合がある。一態様では、メッセージは、時間期間中に双方向データが通信され得ることをさらに示すように生成される場合がある。メッセージ内のフィールドが指示を提供することができる。一態様では、そのフィールドは、長さが１ビットであり得る。別の態様では、そのフィールドは、長さが１ビットよりも大きい場合があり、たとえば、そのフィールドは長さが２ビットであり得る。いくつかの態様では、メッセージは、８０２．１１プロトコルまたは８０２．１１ａｈプロトコルの制限されたアクセスウィンドウ（ＲＡＷ）のメッセージなどの、ＲＡＷメッセージとして生成される場合がある。
【０１５９】
[00181]ブロック５０２のいくつかの態様は、ブロック８０２、１１０２、１４０２、１７０２、および／または２２０２に関して説明される機能のうちの１つまたは複数を実行することができる。
【０１６０】
[00182]一態様では、プロセッサ２０４は、ブロック５０２に関して説明された機能のうちの１つまたは複数を実行するように構成され得る。一態様では、生成するための手段はプロセッサ２０４であり得る。
【０１６１】
[00183]ブロック５０４において、生成されたメッセージが送信される。一態様では、送信機２１０は、ブロック５０４に関して説明された機能のうちの１つまたは複数を実行するように構成され得る。一態様では、生成されたメッセージを送信するための手段は、図２の送信機２１０を含む場合がある。別の態様では、プロセッサ２０４は、ブロック５０４に関して上記で説明された機能のうちの１つまたは複数を実行するように構成され得る。一態様では、生成されたメッセージを送信するための手段は、プロセッサ２０４を含む場合がある。
【０１６２】
[00184]図６は、一実装形態によるワイヤレス通信の方法のフローチャートである。方法６００は、（図１に示された）ステーション１０６または図２に示されたワイヤレスデバイス２０２などの、ワイヤレス通信用の装置によって実施され得る。方法６００により、ステーションが上記のプロセス５００を実行するアクセスポイントと相互動作することが可能になり得る。ブロック６０２で、方法は、その中で第１のデバイスが１つまたは複数の第２のワイヤレスデバイスとメッセージを通信する時間期間を識別するメッセージを受信することを含み、メッセージは、時間期間中のワイヤレス通信の流れ方向を示すインジケータをさらに備える。一態様では、メッセージ内のワイヤレス通信の流れ方向のインジケータは、時間期間中のメッセージの通信がアップリンクデータかダウンリンクデータかを示す。たとえば、メッセージは、時間期間中にプロセス６００を実行する装置がメッセージを送信するかメッセージを受信するかを示す。一態様では、メッセージは、時間期間中に双方向データが通信され得ることをさらに示す場合がある。メッセージ内のフィールドが指示を提供することができる。一態様では、そのフィールドは、長さが１ビットであり得る。別の態様では、そのフィールドは、長さが１ビットよりも大きい場合があり、たとえば、そのフィールドは長さが２ビットであり得る。
【０１６３】
[00185]ブロック６０２のいくつかの態様は、受信されたメッセージを制限されたアクセスウィンドウ（ＲＡＷ）のメッセージとして復号することを含む。いくつかの態様では、受信されたメッセージは、時間期間中のデータの通信がアップリンクデータかダウンリンクデータかを決定するために復号される。いくつかの態様では、受信されたメッセージは、時間期間中のデータの通信がアップリンクデータか、ダウンリンクデータか、または双方向データかを決定するために復号される。ブロック６０２のいくつかの態様では、受信されたメッセージ内のワイヤレス通信の流れ方向のインジケータは、長さが１ビットまたは２ビットのいずれかとして復号される。いくつかの態様では、復号するための手段は、ハードウェアプロセッサ２０４を含む場合がある。
【０１６４】
[00186]ブロック６０２のいくつかの態様は、ブロック９０２、１２０２、１５０２、１８０２、および／または２３０２に関して説明される機能のうちの１つまたは複数を実行することができる。
【０１６５】
[00187]一態様では、受信機２１２は、ブロック６０２に関して説明された機能のうちの１つまたは複数を実行するように構成される。一態様では、受信するための手段は図２の受信機２１２であり得る。別の態様では、プロセッサ２０４は、ブロック６０２に関して上記で説明された機能のうちの１つまたは複数を実行するように構成され得る。一態様では、受信するための手段はプロセッサ２０４を含む場合がある。ブロック６０４において、メッセージは、ワイヤレス通信の流れ方向の指示に基づいて、アクセスポイントと通信される。たとえば、示された流れ方向がアップリンクトラフィック向けである場合、ブロック６０４は、第１のデバイスにメッセージを送信することを含む場合がある。示された流れ方向がダウンリンクトラフィック向けである場合、ブロック６０４は、第１のデバイスからメッセージを受信することを含む場合がある。
【０１６６】
[00188]一態様では、プロセッサ２０４は、ブロック６０４に関して説明された機能のうちの１つまたは複数を実行するように構成される。一態様では、第１のデバイスとメッセージを通信するための手段は、プロセッサ２０４を含む場合がある。いくつかの態様では、第１のデバイスはアクセスポイントである。
【０１６７】
[00189]ワイヤレス通信の流れ方向を示すメッセージ、たとえば、ブロック５０２において生成されたメッセージまたはブロック６０２において生成されたメッセージは、様々な方法で構成され得る。図７は、ワイヤレス通信の流れ方向を識別するインジケータを備えるメッセージの一実装形態を示す。メッセージ７００または実質的に同様のメッセージは、図５に関して上述されたように、ＡＰから関連するワイヤレスステーションに送信され得る。メッセージ７００または実質的に同様のメッセージはまた、プロセス６００のブロック６０２において受信され得る。メッセージ７００は、ＡＰからステーションへの送信に適した任意のプロセスと方法とを使用して送信され得る。
【０１６８】
[00190]例示的な実装形態では、メッセージは、８０２．１１ａｈプロトコルにおいて指定されたものなどの、制限されたアクセスウィンドウと、アクセスポイントがワイヤレスステーションの選択されたグループ用に確保されたものとして宣言する時間の期間とを定義する。メッセージは、制限されたアクセスウィンドウの開始時間を示すＲＡＷ開始時間７０２を含む。メッセージはまた、制限されたアクセスウィンドウの持続時間を示すＲＡＷ持続時間７０４を含む。メッセージはまた、制限されたアクセスウィンドウの間にアクセスポイントにパケットを送ることを許可された、ワイヤレスステーションの選択されたグループを列挙するグループＩＤ７０６を含む。
【０１６９】
[00191]加えて、メッセージは、ワイヤレス通信の流れ方向を示すためのフィールド７０８を含む。一態様では、フィールド７０８は、０または１の論理値に設定され得る１ビットを含む場合があり、１の論理値は、制限されたアクセスウィンドウの間のワイヤレス通信の流れがアップリンク方向にあることを示し、０の論理値は、制限されたアクセスウィンドウの間のワイヤレス通信の流れがダウンリンク方向にあることを示す。別の態様では、論理値は逆になる場合がある。別の態様では、フィールド７０８は２ビット以上を含む場合がある。これらの態様では、フィールド７０８は、制限されたアクセスウィンドウの間のワイヤレス通信の流れがアップリンク方向にあるか、ダウンリンク方向にあるか、または双方向かを示す場合がある。一態様では、フィールド７０８は、ダウンリンクデータとアップリンクデータとを優先順位付けすることができる。たとえば、フィールド７０８は、ダウンリンクデータがアップリンクデータよりも優先順位が高いことを示す場合がある。代替として、フィールド７０８は、アップリンクデータがダウンリンクデータよりも優先順位が高いことを示す場合がある。
【０１７０】
[00192]図８は、一実装形態によるワイヤレス通信の方法のフローチャートである。方法８００は、（図１に示された）アクセスポイント（ＡＰ）１０４または図２に示されたワイヤレスデバイス２０２などの、ワイヤレス通信用の装置によって実施され得る。方法８００は、いくつかの時間期間中にアクセスポイントが受信する通信のタイプを管理するアクセスポイントの能力を改善することができる。たとえば、いくつかのアクセスポイントは、制限されたアクセスウィンドウの間関連しないステーションがアクセスポイントと通信するべきではないと決定することができる。他のアクセスポイントは、いくつかの時間期間中、たとえば、いくつかの制限されたアクセスウィンドウの間、関連しないステーションがそれらと通信することを許可すると決定することができる。１つまたは複数の制限されたアクセスウィンドウなどの１つまたは複数の時間期間中、アクセスポイントが受信するトラフィックを管理するアクセスポイント用の改善された能力により、ワイヤレス通信ネットワークのより効率的な動作がもたらされ得る。
【０１７１】
[00193]ブロック８０２で、方法は、装置に関連付けられていない１つまたは複数のデバイスが、メッセージによって定義された時間期間中に装置と通信することを許可されるかどうかを示すメッセージを生成することを含む。一態様では、メッセージは、時間の期間が、８０２．１１ａｈプロトコルにおいて指定されたステーションのグループなどの、ワイヤレスステーションの選択されたグループ用に、アクセスポイントによって通信のために確保されたものとして宣言されたことをさらに示す。たとえば、いくつかの態様では、ステーションのグループを識別するために、ＢＳＳＩＤが生成されたメッセージに含まれ得る。
【０１７２】
[00194]一態様では、メッセージは、時間期間がステーションの関連付けのみに使用されるべきと示す場合がある。この態様では、関連しないステーションのみが、メッセージによって定義された時間期間中に装置と通信することができる。代替として、メッセージは、時間期間が関連するステーションのグループならびに関連しないステーションのグループの両方によって使用され得ることを示す場合がある。いくつかの態様では、メッセージは少なくとも２つの異なるインジケータを含み、第１のインジケータは関連しないステーションが時間期間を利用することができるかどうかを示し、第２のインジケータは関連するステーションが時間期間を利用することができるかどうか、またはどの関連するステーションが時間期間を利用することができるかを示す。
【０１７３】
[00195]一態様では、メッセージは、制限されたアクセスウィンドウ（ＲＡＷ）のメッセージとして生成される。いくつかの態様では、メッセージは、（特定のデバイスなどの）関連するデバイスも装置と通信するための時間期間を使用することができるかどうかを示すように生成される。これらの態様では、特定のデバイスは、たとえば、一意のデバイス識別子またはネットワークアドレスによって、メッセージ内で識別され得る。いくつかの態様では、メッセージは、関連するステーションのグループも装置と通信するための時間期間を使用することができるかどうかを示すように生成される。ブロック８０２のいくつかの態様は、ブロック５０２、１１０２、１４０２、１７０２、および／または２２０２に関して説明される機能のうちの１つまたは複数を実行することができる。
【０１７４】
[00196]いくつかの態様では、メッセージは、装置に関連付けられていないデバイスがショートビーコンフレーム内の生のパラメータセット（ＲＰＳ）要素を介して、装置と通信することを許可されたことを示す場合がある。ＲＰＳ要素は、その間にすべてのＳＴＡが媒体にアクセスすること、またはアクセスポイントと通信することを許可されるＲＡＷを示す場合がある。いくつかの態様では、これは、すべてゼロであるＲＰＳ要素内のＲＡＷグループフィールドを介して示される場合がある。そのようなＲＡＷは、新しいＳＴＡとの関連付けに使用され得る。
【０１７５】
[00197]一態様では、プロセッサ２０４は、ブロック８０２に関して説明された機能のうちの１つまたは複数を実行するように構成され得る。一態様では、生成するための手段はプロセッサ２０４を含む場合がある。
【０１７６】
[00198]ブロック８０４において、生成されたメッセージが送信される。一態様では、送信機２１０は、ブロック８０４に関して説明された機能のうちの１つまたは複数を実行するように構成され得る。一態様では、メッセージはステーションに送信される。一態様では、送信するための手段は送信機２１０を含む場合がある。別の態様では、プロセッサ２０４は、ブロック８０４に関して上記で説明された機能のうちの１つまたは複数を実行するように構成され得る。一態様では、生成されたメッセージを送信するための手段は、プロセッサ２０４を含む場合がある。
【０１７７】
[00199]プロセス８００のいくつかの態様は、示された時間期間中にステーションなどの関連しないデバイスからメッセージを受信することと、時間期間内に受信されたメッセージに基づいてメッセージに対する応答を送信することとをさらに含む。プロセスはまた、時間期間外にステーションなどの関連しないデバイスからメッセージを受信することを含む場合がある。それに応答して、メッセージは、本質的に「ナック」して、または場合によっては、メッセージが時間期間外に受信されたので装置はそのメッセージを処理しないという否定的な指示をメッセージの送信側に供給して、送信され得る。他の態様では、時間期間外に受信されたメッセージは、メッセージを受信したデバイスによって単に廃棄または無視される場合がある。時間期間外のメッセージの受信は、受信機２１２またはプロセッサ２０４によって実行され得る。受信するための手段は、プロセッサ２０４および／または受信機２１２を含む場合がある。廃棄または無視するための手段は、プロセッサ２０４を含む場合がある。応答を送信するための手段は、プロセッサ２０４および／または送信機２１０を含む場合がある。
【０１７８】
[00200]プロセス８００のいくつかの態様は、デバイスが時間期間中に装置と通信することを許可されないことを生成されたメッセージが示す場合、時間期間中スリープすることを含む。時間期間中にスリープするための手段は、プロセッサ２０４を含む場合がある。
【０１７９】
[00201]図９は、一実装形態によるワイヤレス通信の方法のフローチャートである。方法９００は、（図１に示された）ステーション１０６または図２に示されたワイヤレスデバイス２０２などの、ワイヤレス通信用の装置によって実施され得る。いくつかの態様では、方法９００により、ステーションがプロセス８００を実行するアクセスポイントとワイヤレス通信ネットワーク上で相互動作することが可能になり得る。
【０１８０】
[00202]ブロック９０２で、方法は、装置に関連付けられていない１つまたは複数のデバイスが、メッセージによって定義された時間期間中に装置と通信することを許可されるかどうかを示すメッセージを受信することを含む。一態様では、メッセージは、ワイヤレスステーションの選択されたグループが通信するために時間期間が確保されたことをさらに示す。たとえば、メッセージは、８０２．１１ａｈプロトコルにおいて指定されたＲＡＷメッセージと同様の制限されたアクセスウィンドウ（ＲＡＷ）のメッセージであり得る。ブロック９０２のいくつかの態様は、ブロック６０２、１２０２、１５０２、１８０２、および／または２３０２に関して説明される機能のうちの１つまたは複数を実行することができる。
【０１８１】
[00203]一態様では、受信機２１２は、ブロック９０２に関して説明された機能のうちの１つまたは複数を実行するように構成される。一態様では、受信するための手段は受信機２１２を含む場合がある。別の態様では、プロセッサ２０４は、ブロック９０２に関して上記で説明された機能のうちの１つまたは複数を実行するように構成され得る。一態様では、受信するための手段はプロセッサ２０４を含む場合がある。
【０１８２】
[00204]ブロック９０２は、受信されたメッセージを復号して、装置に関連付けられていない１つまたは複数のデバイスが、メッセージによって定義された時間期間中に装置と通信することを許可されるかどうかを決定することをさらに含む場合がある。ブロック９０２はまた、受信されたメッセージを復号して、アクセスポイントがワイヤレスステーションの選択されたグループ用に確保されたものとして宣言する時間の期間を決定することを含む場合がある。ブロック９０２はまた、受信されたメッセージを制限されたアクセスウィンドウのメッセージとして復号することを含む場合がある。いくつかの態様では、復号するための手段はプロセッサ２０４を含む。
【０１８３】
[00205]ブロック９０４において、メッセージは、指示に基づいて装置に選択的に送信される。一態様では、指示が第１の値を示す場合、関連付けメッセージは装置に送信され、指示が第２の値を示す場合、関連付けメッセージは装置に送信されない。一態様では、送信機２１０は、ブロック９０４に関して説明された機能のうちの１つまたは複数を実行するように構成される。一態様では、送信するための手段は送信機２１０を含む場合がある。別の態様では、プロセッサ２０４は、ブロック９０４に関して上記で説明された機能のうちの１つまたは複数を実行するように構成され得る。一態様では、生成されたメッセージを送信するための手段は、プロセッサ２０４を含む場合がある。
【０１８４】
[00206]上記のブロック８０２において生成されたメッセージ、または上記のブロック９０２において受信されたメッセージなどの、装置に関連付けられていない１つまたは複数のデバイスが時間期間中に装置と通信することを許可されるかどうかを示すメッセージは、様々な方法で構成され得る。図１０は、装置に関連付けられていない１つまたは複数のデバイスが時間期間中に装置と通信することを許可されるかどうかを示すメッセージの一実装形態を示す。メッセージ１０００は、図８に関して上述されたように、ＡＰからワイヤレスステーションに送信され得る。メッセージ１０００は、ＡＰからステーションへの送信に適した任意のプロセスと方法とを使用して送信され得る。
【０１８５】
[00207]例示的な実装形態では、メッセージは、８０２．１１ａｈプロトコルにおいて指定されたものなどの、制限されたアクセスウィンドウと、アクセスポイントがワイヤレスステーションの選択されたグループ用に確保されたものとして宣言する時間期間とを定義する。メッセージは、制限されたアクセスウィンドウの開始時間を示すＲＡＷ開始時間７０２を含む。メッセージはまた、制限されたアクセスウィンドウの持続時間を示すＲＡＷ持続時間７０４を含む。メッセージはまた、制限されたアクセスウィンドウの間にアクセスポイントにパケットを送ることを許可された、ワイヤレスステーションの選択されたグループを列挙するグループＩＤ７０６を含む。
【０１８６】
[00208]加えて、メッセージは、装置に関連付けられていない１つまたは複数のデバイスが、ＲＡＷ開始時間７０２およびＲＡＷ持続時間７０４によって定義された時間期間中に装置と通信することを許可されるかどうかを示すためのフィールド１００８を含む。メッセージはまた、制限されたアクセスウィンドウの間にアクセスポイントにパケットを送ることを許可された、ワイヤレスステーションの選択されたグループを列挙するグループＩＤ７０６を含む。一態様では、フィールド１００８は、０または１の論理値に設定され得る１ビットを含む場合があり、１の論理値は、装置に関連付けられていない１つまたは複数のデバイスが時間期間中に装置と通信することを許可されることを示し、０の論理値は、そのような通信が時間期間中に許可されないことを示す。一態様では、論理値は逆になる場合がある。別の態様では、フィールド１００８は２ビット以上を含む場合がある。これらの態様では、フィールド１００８は、時間期間が関連しないステーションの関連付けのみに割り振られることを示す場合がある。代替として、そのようなフィールドは、時間期間がステーションのグループに割り振られるが、関連しないステーションも時間期間中に装置と通信できることを示す場合がある。さらの別の態様では、そのフィールドは、時間期間が関連するステーションのみに割り振られることを示す場合がある。
【０１８７】
[00209]図１１は、一実装形態によるワイヤレス通信の方法のフローチャートである。方法１１００は、（図１に示された）アクセスポイント（ＡＰ）１０４または図２に示されたワイヤレスデバイス２０２などの、ワイヤレス通信用の装置によって実施され得る。方法１１００は、時間期間またはウィンドウの満了時間の改善された決定を実現することができる。いくつかの現在の方法では、時間期間の満了時間は、アクセスポイントに知られていない可能性があるパラメータに基づいて決定される場合がある。たとえば、いくつかの満了時間はビーコン送信の終了に基づく。ビーコン信号の終了は、いくつかのワイヤレスノードが予測することが困難または不可能であり得るので、これらのノードは、時間期間またはウィンドウの満了時間を決定することができない場合がある。これにより、時間期間またはウィンドウの満了における不確実性と等価な時間の期間の間ノードがスリープ状態に入ることが禁止される場合がある。方法１１００は、時間期間の満了がビーコン間隔の数に基づくことを規定している。ビーコン間隔の長さは知られているので、下記のプロセス１１００とプロセス１２００とを利用する、ワイヤレスネットワーク上のステーションまたはアクセスポイントは、それらの時間期間またはウィンドウの終了の予測を改善することができる。
【０１８８】
[00210]ブロック１１０２で、方法は、その間に１つまたは複数の識別されたデバイスが装置と通信することを許可されるウィンドウの満了時間を示すメッセージを生成することを含み、満了時間はビーコン間隔の数に基づいて示される。一態様では、メッセージは、８０２．１１ａｈプロトコルにおいて指定されたものなどの、制限されたアクセスウィンドウのメッセージとして生成される。いくつかの態様では、メッセージは、関連するステーションのグループも装置と通信するための時間期間を使用できることを示すように生成される。
【０１８９】
[00211]いくつかの態様では、ウィンドウが満了しないことを示すために、特定の値が確保される場合がある。たとえば、いくつかの態様では、この目的のために確保される特定の値はゼロ（０）である。これらの態様では、ビーコン間隔の数がゼロに設定された場合、メッセージは、ウィンドウが満了しないことを示す。いくつかの態様では、メッセージは、図１３に関して下記で説明されるメッセージ１３００のフォーマットに実質的に準拠するように生成される場合がある。
【０１９０】
[00212]いくつかの態様では、生成されたメッセージは、周期的な動作パラメータサブフィールドを含む場合がある。いくつかの態様では、周期的な動作パラメータサブフィールドは、長さが３オクテットであり得る。いくつかの態様では、周期的な動作パラメータサブフィールドは、周期的な制限されたアクセスウィンドウ（ＰＲＡＷ）の周期性サブサブフィールドと、ＰＲＡＷの有効性サブサブフィールドと、ＰＲＡＷの開始オフセットサブサブフィールドとを備える。ＰＲＡＷの周期性サブフィールドは、ショートビーコン間隔の単位で現在のＰＲＡＷの発生の周期を示し、いくつかの態様では８ビットである。ＰＲＡＷの有効性サブフィールドは、ＰＲＡＷが繰り返す周期の数を示し、いくつかの態様では８ビットの長さである。たとえば、ＰＲＡＷの有効性サブフィールドは、上記で説明されたビーコン間隔の数に基づいて、ＰＲＡＷの持続時間を示す場合がある。ＰＲＡＷの開始オフセットサブフィールドは、ＰＲＡＷの最初のウィンドウが現れる（ショート）ビーコンフレームの終了からの時間単位（ＴＵ）のオフセット値を示し、８ビットの長さである。
【０１９１】
[00213]ブロック１１０２のいくつかの態様は、ブロック５０２、３１８０２、１４０２、１７０２、および／または２２０２に関して説明される機能のうちの１つまたは複数を実行することができる。
【０１９２】
[00214]一態様では、プロセッサ２０４は、ブロック１１０２に関して説明された機能のうちの１つまたは複数を実行するように構成される。一態様では、メッセージを生成するための手段は、プロセッサ２０４を含む場合がある。
【０１９３】
[00215]ブロック１１０４において、生成されたメッセージが送信される。一態様では、メッセージは、ビーコン間隔の数フィールドを含む場合がある。これらの態様のうちのいくつかでは、ウィンドウが満了しないことを示すために、ビーコン間隔の数フィールドの特定の値が確保される場合がある。これらの態様では、確保された値に設定されたビーコン間隔の数フィールドを有するメッセージを送信することは、ウィンドウが満了しないことを示す。これらの態様では、示された数のビーコン間隔の後満了するウィンドウを示すために、確保された値以外の値に設定されたビーコン間隔の数フィールドを有する第２のメッセージが送信される場合がある。
【０１９４】
[00216]一態様では、送信機２１０は、ブロック１１０４に関して説明された機能のうちの１つまたは複数を実行するように構成される。別の態様では、プロセッサ２０４は、ブロック１１０４に関して上記で説明された機能のうちの１つまたは複数を実行するように構成され得る。一態様では、生成されたメッセージを送信するための手段は、送信機２１０および／またはプロセッサ２０４を含む場合がある。
【０１９５】
[00217]方法１１００は、識別されたデバイスのうちの１つまたは複数から第２のメッセージを受信することと、ウィンドウの間および／またはウィンドウの満了前にメッセージが受信されたかどうかに基づいて、メッセージを処理することとをさらに含む場合がある。第２のメッセージを受信するための手段は、プロセッサ２０４および／または受信機２１２のうちの１つまたは複数によって実行され得る。
【０１９６】
[00218]プロセス１１００のいくつかの態様は、ウィンドウの満了時間も含む次のメッセージの生成と送信とをさらに含む。この次のメッセージは、任意の以前に生成され送信されたメッセージによって定義されたウィンドウの満了時間を事実上再定義する。たとえば、これらの態様では、ウィンドウが満了しなかったことを以前に送信されたメッセージが示した場合、次に生成され送信されるメッセージは、特定の数のビーコン間隔の後ウィンドウが満了することを示す場合がある。生成および送信は、プロセッサ２０４および／または送信機２１０のうちの１つまたは複数によって実行され得る。生成するための手段および送信するための手段は、プロセッサ２０４および／または送信機２１０のうちの１つまたは複数を含む場合がある。
【０１９７】
[00219]図１２は、一実装形態によるワイヤレス通信の方法のフローチャートである。方法１２００は、（図１に示された）ステーション１０６または図２に示されたワイヤレスデバイス２０２などの、ワイヤレス通信用の装置によって実施され得る。一態様では、方法１２００により、ステーションがプロセス１１００を実行するアクセスポイントと相互動作することが可能になり得る。
【０１９８】
[00220]ブロック１２０２で、方法は、その間に１つまたは複数の識別されたデバイスがアクセスポイントと通信することを許可されるウィンドウの満了時間を示すメッセージを受信することを含み、満了時間はビーコン間隔の数に基づく。ブロック１２０２のいくつかの態様は、ブロック６０２、９０２、１５０２、１８０２、および／または２３０２に関して説明される機能のうちの１つまたは複数を実行することができる。
【０１９９】
[00221]一態様では、受信機２１２は、ブロック１２０２に関して説明された機能のうちの１つまたは複数を実行するように構成される。一態様では、満了時間を示すメッセージを受信するための手段は、受信機２１２を含む場合がある。別の態様では、プロセッサ２０４は、ブロック１２０２に関して上記で説明された機能のうちの１つまたは複数を実行するように構成され得る。一態様では、受信するための手段はプロセッサ２０４を含む場合がある。
【０２００】
[00222]いくつかの態様では、ブロック１２０２は、受信されたメッセージを復号してウィンドウの満了時間を決定することを含む。いくつかの態様では、復号はプロセッサ２０４によって実行され得る。いくつかの態様では、復号するための手段はプロセッサ２０４を含む場合がある。
【０２０１】
[00223]一態様では、受信されたメッセージは、８０２．１１ａｈプロトコルにおいて指定されたものなどの、アクセスポイントがワイヤレスステーションの選択されたグループ用に確保されたものとして宣言する時間の期間をさらに示す。一態様では、受信されたメッセージは、制限されたアクセスウィンドウのメッセージである。いくつかの態様では、受信されたメッセージは、下記で説明されるメッセージ１３００のフォーマットに実質的に準拠することができる。いくつかの態様は、受信されたメッセージを復号して、アクセスポイントがワイヤレスステーションの選択されたグループ用に確保されたものとして宣言する時間の期間を決定することを含む。いくつかの態様では、復号するための手段はプロセッサ２０４を含む場合がある。プロセス１２００のいくつかの態様は、受信されたメッセージを制限されたアクセスウィンドウのメッセージとして復号することを含む。復号するための手段は、ハードウェアプロセッサ２０４を含む場合がある。
【０２０２】
[00224]ブロック１２０４において、ウィンドウの間にメッセージが送信される。いくつかの態様では、ウィンドウの間のメッセージの送信は、ブロック１２０２において受信されたメッセージに基づく。一態様では、送信機２１０は、ブロック１２０４に関して説明された機能のうちの１つまたは複数を実行するように構成される。一態様では、ウィンドウの間にメッセージを送信するための手段は、送信機２１０を含む場合がある。別の態様では、プロセッサ２０４は、ブロック１２０４に関して上記で説明された機能のうちの１つまたは複数を実行するように構成され得る。一態様では、ウィンドウの間にメッセージを送信するための手段は、プロセッサ２０４を含む場合がある。
【０２０３】
[00225]一態様では、送信されるメッセージは、ビーコン間隔の数フィールドを含む場合がある。これらの態様のうちのいくつかでは、ビーコン間隔の数フィールドの特定の値は、ウィンドウが満了しないことを示す場合がある。これらの態様では、特定の値に設定されたビーコン間隔の数フィールドを有するメッセージを受信することは、ウィンドウが満了しないことを示す。これらの態様では、示された数のビーコン間隔の後ウィンドウが満了することを示すために、特定の値以外の値に設定されたビーコン間隔の数フィールドを有する第２のメッセージが受信される場合がある。
【０２０４】
[00226]図１１および図１２に関して上記で説明された、ウィンドウの満了時間を示すメッセージは、様々な方法で構成され得る。図１３は、ウィンドウの満了時間を示すメッセージの一実装形態を示す。メッセージ１３００は、図１１に関して上述されたように、ＡＰから関連するワイヤレスステーションに送信され得る。メッセージ１３００は、ＡＰからステーションへの送信に適した任意のプロセスと方法とを使用して送信され得る。
【０２０５】
[00227]例示的な実装形態では、メッセージは、８０２．１１ａｈプロトコルにおいて指定されたものなどの、制限されたアクセスウィンドウと、アクセスポイントがワイヤレスステーションの選択されたグループ用に確保されたものとして宣言する時間の期間とを定義する。メッセージは、制限されたアクセスウィンドウの開始時間を示すＲＡＷ開始時間７０２を含む。メッセージはまた、制限されたアクセスウィンドウの持続時間を示すＲＡＷ持続時間７０４を含む。メッセージはまた、制限されたアクセスウィンドウの間にアクセスポイントにパケットを送ることを許可された、ワイヤレスステーションの選択されたグループを列挙するグループＩＤ７０６を含む。
【０２０６】
[00228]加えて、メッセージは、制限されたアクセスウィンドウの満了時間を示すためのフィールド１３０８を含む。図示された態様では、満了時間はビーコンの数に基づいて示される。上記で説明されたように、ウィンドウが満了しないことを示すために、フィールド１３０８の特定の値が確保される場合がある。これらの態様では、特定の値に設定されたフィールド１３０８を有する、したがってウィンドウが満了しないことを示すメッセージ１３００の第１のバージョンが送られる場合がある。後に、特定の値以外の値に設定されたフィールド１３０８を有するメッセージ１３００の第２のバージョンが送られる場合がある。第２のメッセージは、フィールド１３０８に指定された数のビーコン間隔の後のウィンドウの満了時間を示す。
【０２０７】
[00229]図１４は、一実装形態によるワイヤレス通信の方法のフローチャートである。方法１４００は、（図１に示された）アクセスポイント（ＡＰ）１０４または図２に示されたワイヤレスデバイス２０２などの、ワイヤレス通信用の装置によって実施され得る。いくつかの現在の方法では、時間期間の開始時間は、ワイヤレスネットワーク上の１つまたは複数のデバイスに知られていない可能性があるパラメータに基づいて決定される場合がある。たとえば、いくつかの開始時間はビーコン送信の終了に基づく。ビーコン信号の終了は、いくつかのワイヤレスノードが予測することが困難または不可能であり得るので、これらのノードは、時間期間またはウィンドウの開始時間を決定することができない場合がある。これにより、時間期間またはウィンドウの開始における不確実性と等価な時間の期間の間ノードがスリープ状態に入ることが禁止される場合がある。方法１４００は、時間期間の開始が装置によって維持される時間基準に基づくことを規定している。装置は時間基準を維持し、時間基準に基づくワイヤレスネットワーク上で他のデバイスに同期信号を通信することができるので、時間期間の開始は、容易に決定され得る。これにより、下記のプロセス１４００と１５００とを利用する、ワイヤレスネットワーク上のステーションまたはアクセスポイントは、それらの時間期間またはウィンドウの開始についての予測を改善することができる。
【０２０８】
[00230]ブロック１４０２で、方法は、その間に１つまたは複数の識別されたデバイスが装置と通信することを許可されるウィンドウの開始時間を示すメッセージを生成することを含み、開始時間は装置によって維持される絶対時間基準に基づく。一態様では、時間基準は目標ビーコン送信時間（ＴＢＴＴ）である。別の態様では、時間基準はタイミング同期機能（ＴＳＦ）である。いくつかの態様では、メッセージは、制限されたアクセスウィンドウ（ＲＡＷ）のメッセージとして生成される。制限されたアクセスウィンドウのメッセージは、制限されたアクセスウィンドウの開始時間と持続時間とを示す。
【０２０９】
[00231]いくつかの態様では、ブロック１４０２は、ブロック５０２、８０２、１１０２、（下記で説明される）１７０２、および／または（同じく下記で説明される）２２０２に関して説明された機能のうちの１つまたは複数を実行することができる。
【０２１０】
[00232]一態様では、プロセッサ２０４は、ブロック１４０２に関して説明された機能のうちの１つまたは複数を実行するように構成され得る。一態様では、ウィンドウの開始時間を示すメッセージを生成するための手段は、プロセッサ２０４を含む場合がある。
【０２１１】
[00233]ブロック１４０４において、生成されたメッセージが送信される。一態様では、メッセージは目標起床時間情報要素（ＴＷＴ  ＩＥ）である。一態様では、送信機２１０は、ブロック１４０４に関して説明された機能のうちの１つまたは複数を実行するように構成される。一態様では、生成されたメッセージを送信するための手段は、送信機２１０を含む場合がある。別の態様では、プロセッサ２０４は、ブロック１４０４に関して上記で説明された機能のうちの１つまたは複数を実行するように構成され得る。一態様では、生成されたメッセージを送信するための手段は、プロセッサ２０４を含む場合がある。
【０２１２】
[00234]図１５は、一実装形態によるワイヤレス通信の方法のフローチャートである。方法１５００は、（図１に示された）ステーション１０６または図２に示されたワイヤレスデバイス２０２などの、ワイヤレス通信用の装置によって実施され得る。一態様では、方法１５００により、ステーションが上記の方法１４００を実施するアクセスポイントと相互動作することが可能になり得る。
【０２１３】
[00235]ブロック１５０２で、方法は、その間に１つまたは複数の識別されたデバイスがアクセスポイントと通信することを許可されるウィンドウの開始時間を示すメッセージを受信することを含み、開始時間はアクセスポイントによって維持される絶対時間基準に基づく。一態様では、メッセージは目標起床時間情報要素（ＴＷＴ  ＩＥ）である。一態様では、時間基準は目標ビーコン送信時間（ＴＢＴＴ）である。一態様では、時間基準はタイミング同期機能（ＴＳＦ）である。
【０２１４】
[00236]一態様では、受信機２１２は、ブロック１５０２に関して説明された機能のうちの１つまたは複数を実行するように構成される。一態様では、ウィンドウの開始時間を示すメッセージを受信するための手段は、受信機２１２を含む場合がある。別の態様では、プロセッサ２０４は、ブロック１５０２に関して上記で説明された機能のうちの１つまたは複数を実行するように構成され得る。一態様では、受信するための手段はプロセッサ２０４を含む場合がある。
【０２１５】
[00237]ブロック１５０２のいくつかの態様は、受信されたメッセージを復号してウィンドウの開始時間を決定することを含む。いくつかの態様では、プロセッサ２０４は復号を実行することができる。いくつかの態様では、受信されたメッセージを復号するための手段はプロセッサ２０４を含む。いくつかの態様では、復号するための手段は、目標ビーコン送信時間（ＴＢＴＴ）として、またはタイミング同期機能（ＴＳＦ）として時間基準を復号するように構成される。いくつかの態様では、復号するための手段は、受信されたメッセージを制限されたアクセスウィンドウのメッセージとして復号するように構成される。
【０２１６】
[00238]ブロック１５０２のいくつかの態様は、ブロック６０２、９０２、１２０２、（下記で説明される）１８０２、および／または（同じく下記で説明される）２３０２に関して説明された機能のうちの１つまたは複数を実行することができる。
【０２１７】
[00239]ブロック１５０４において、ワイヤレス通信ネットワーク上の通信は、メッセージに基づいて制限される。いくつかの態様では、第２のメッセージはプロセス１５００によって受信される。第２のメッセージは、ウィンドウの間に第２のメッセージが受信されたかどうかに基づいて処理される。ウィンドウは、ブロック１５０２で受信されたメッセージ内で示された開始時間によって、少なくとも部分的に定義され得る。プロセス１５００のいくつかの態様は、装置によって維持される時間基準から導出された第２の時間基準を示すビーコンメッセージを送信することを含む。
【０２１８】
[00240]一態様では、プロセッサ２０４は、ブロック１５０４に関して説明された機能のうちの１つまたは複数を実行するように構成される。一態様では、ワイヤレス通信ネットワーク上の通信を制限するための手段は、プロセッサ２０４を含む場合がある。いくつかの態様では、制限するための手段は、装置によって維持される時間基準から導出された第２の時間基準を示すビーコンメッセージを送信するための手段を含む場合がある。いくつかの態様では、送信するための手段は、送信機２１０および／またはプロセッサ２０４を含む場合がある。いくつかの態様では、第２のメッセージを受信するための手段は、受信機２１２および／またはハードウェアプロセッサ２０４のうちの１つまたは複数を含む場合がある。いくつかの態様では、ウィンドウの間に第２のメッセージが受信されたかどうかに基づいて第２のメッセージを処理するための手段は、ハードウェアプロセッサ２０４を含む場合がある。
【０２１９】
[00241]ウィンドウの開始時間を示すメッセージは、様々な方法で構成され得る。図１６は、ウィンドウの開始時間を示すことの一実装形態を示す。メッセージ１６００またはメッセージ１６００と実質的に同様のフィールドを有するメッセージは、図１４に関して上述されたように、ＡＰから関連するワイヤレスステーションに送信され得る。メッセージ１６００またはメッセージ１６００と実質的に同様のフィールドを含むメッセージは、上記で説明されたプロセス１５００のブロック１５０２において受信され得る。メッセージ１６００は、ＡＰからステーションへの送信に適した任意のプロセスと方法とを使用して送信され得る。
【０２２０】
[00242]例示的な実装形態では、メッセージは、８０２．１１ａｈプロトコルにおいて指定されたものなどの、制限されたアクセスウィンドウと、アクセスポイントがワイヤレスステーションの選択されたグループ用に確保されたものとして宣言する時間期間とを定義する。メッセージは、制限されたアクセスウィンドウの開始時間を示すＲＡＷ開始時間７０２を含む。いくつかの態様では、ＲＡＷ開始時間７０２は長さが８ビットであり、ＥＰＳ要素を含む（ショート）ビーコンまたは（ショート）プローブの応答フレーム送信の終了から、制限されたアクセスウィンドウ（ＲＡＷ）の開始時間までの時間単位（ＴＵ）の持続時間を示す場合がある。ＲＡＷ開始時間サブフィールド８０２の時間単位は、２つの時間単位（ＴＵ）である。
【０２２１】
[00243]いくつかの態様では、メッセージはまた、制限されたアクセスウィンドウの持続時間を示すＲＡＷ持続時間７０４を含む。メッセージはまた、制限されたアクセスウィンドウの間にアクセスポイントにパケットを送ることを許可された、ワイヤレスステーションの選択されたグループを列挙するグループＩＤ７０６を含む。
【０２２２】
[00244]上述された方法の一態様では、ＲＡＷ開始時間７０２は、装置、たとえばメッセージ１６００を送信する装置によって維持される時間基準に基づく場合がある。プロセス１４００および１５００に関して上記で説明されたように、いくつかの態様では、ＲＡＷ開始時間７０２は、目標ビーコン送信時間（ＴＢＴＴ）に基づく場合がある。いくつかの態様では、ＲＡＷ開始時間７０２は、タイミング同期機能（ＴＳＦ）に基づく場合がある。
【０２２３】
[00245]図１７は、一実装形態によるワイヤレス通信の方法のフローチャートである。方法１７００は、（図１に示された）アクセスポイント（ＡＰ）１０４または図２のワイヤレスデバイス２０２などの、ワイヤレス通信用の装置によって実施され得る。方法１７００により、ワイヤレスネットワーク上の送信用の時間期間との１つまたは複数のステーションの改善された関連付けがもたらされる場合がある。たとえば、いくつかの現在の方法では、個々のステーションが送信用の時間期間に関連付けられることが可能にならない場合がある。代わりに、これらの方法により、送信用の時間期間とのステーションのグループの関連付けがもたらされる場合がある。時間期間またはウィンドウが１つまたは複数のステーションに関連付けられることを可能にすることによって、ワイヤレスネットワーク上の通信の改善された制御がもたらされる場合があり、ワイヤレスネットワークの効率または性能の向上につながる。
【０２２４】
[00246]ブロック１７０２で、方法は、特定のデバイスまたはデバイスの無制限のグループを識別し、その間に識別された特定のデバイスまたはデバイスの無制限のグループが装置と通信することを許可される時間期間を識別するメッセージを生成することを含む。一態様では、メッセージは、デバイスの無制限のグループの各メンバを識別する。たとえば、メッセージは、デバイスの無制限のグループ内のデバイスごとにデバイス識別子を与えるフィールドまたは他の指示を含む場合がある。一態様では、メッセージは２つ以上の特定のデバイスを識別し、時間期間は、その間に２つ以上の特定のデバイスが装置と通信することを許可される時間を識別する。たとえば、メッセージは、６４個よりも多い異なるデバイスを識別することができる。
【０２２５】
[00247]一態様では、メッセージは制限されたアクセスウィンドウのメッセージである。制限されたアクセスウィンドウのメッセージは、制限されたアクセスウィンドウの期間中に制限されたアクセスを許可されたステーションのＡＩＤを示すグループサブフィールドを含む場合がある。いくつかの態様では、グループサブフィールドは、ページインデックスと、制限されたアクセスウィンドウの期間中にアクセスを許可されたステーションのもの用の開始ＡＩＤと、制限されたアクセスウィンドウの期間中にアクセスを許可されたステーション用の終了ＡＩＤとを含む場合がある。これらの態様では、ＡＩＤの階層型アドレス指定方法に従って、開始ＡＩＤと終了ＡＩＤとの間のＡＩＤ、または開始ＡＩＤと終了ＡＩＤとを含むＡＩＤを有する任意のステーションは、制限されたアクセスウィンドウの期間中のアクセスを許可される。このようにして、制限されたアクセスウィンドウの期間中のアクセスを許可され得るステーションの数は無制限である。
【０２２６】
[00248]ブロック１７０２のいくつかの態様は、ブロック５０２、８０２、１１０２、１４０２、および／または（下記で説明される）２２０２に関して説明された機能のうちの１つまたは複数を実行することができる。
【０２２７】
[00249]一態様では、プロセッサ２０４は、ブロック１７０２に関して説明された機能のうちの１つまたは複数を実行するように構成され得る。一態様では、特定のデバイスまたはデバイスの無制限のグループを識別するメッセージを生成するための手段は、プロセッサ２０４を含む場合がある。
【０２２８】
[00250]ブロック１７０４において、生成されたメッセージが送信される。いくつかの態様では、プロセス１７００は、生成され送信されたメッセージによって識別された時間期間中にソースデバイスからメッセージを受信することをさらに含む。受信されたメッセージは、ソースデバイスからのメッセージに基づいて、および生成され送信されたメッセージによって識別された時間期間内に受信された受信メッセージに基づいて処理される。たとえば、メッセージは時間期間中にソースデバイスから受信されたので、生成されたメッセージがソースデバイスを識別した場合、メッセージは完全に処理され得る。メッセージが受信デバイスからの何らかの種類のリソースを必要とする場合、リソースは割り振られる場合があり、ソースデバイスがブロック１７０２において生成されたメッセージによって識別された場合、応答がソースデバイスに送られる。デバイス識別子を介して直接的に、またはソースデバイスが属するグループを惜別することによって間接的にのいずれかで、生成されたメッセージが受信されたメッセージのソースデバイスを識別しなかった場合、時間期間中にソースデバイスから受信されたメッセージは、正規のやり方で処理されない場合がある。たとえば、メッセージは、ソースデバイスに応答することなく、廃棄または無視される場合がある。いくつかの態様では、応答が生成され、ソースデバイスに送信される場合があるが、メッセージが時間期間中にソースデバイスから受信されなかったが、ソースデバイスが時間期間中にプロセス１７００を実行するデバイスにメッセージを送信する許可を与えられなかったため、応答は、否定応答を示すか、または場合によってはエラー状態を通信する場合がある。
【０２２９】
[00251]一態様では、プロセッサ２０４および／または送信機２１０のうちの１つまたは複数は、ブロック１７０４に関して説明された機能のうちの１つまたは複数を実行するように構成され得る。一態様では、メッセージを送信するための手段は、送信機２１０および／またはプロセッサ２０４を含む場合がある。
【０２３０】
[00252]図１８は、一実装形態によるワイヤレス通信の方法のフローチャートである。方法１８００は、（図１に示された）ステーション１０６または図２のワイヤレスデバイス２０２などの、ワイヤレス通信用の装置によって実施され得る。一態様では、方法１８００により、ステーションがプロセス１７００を実行するアクセスポイントと対話することが可能になり得る。
【０２３１】
[00253]ブロック１８０２で、方法は、その間に１つまたは複数の識別されたデバイスがアクセスポイントと通信することを許可されるウィンドウの開始時間を示すメッセージを受信することを含む。一態様では、メッセージは、２つ以上の特定のデバイスを識別し、その間に２つ以上の特定のデバイスが装置と通信することを許可される時間期間を識別するために復号され得る。たとえば、一態様では、メッセージは、装置と通信することを許可された６４個よりも多いデバイスを識別するために復号され得る。一態様では、メッセージは、制限されたアクセスウィンドウのメッセージとして復号される。
【０２３２】
[00254]ブロック１８０２のいくつかの態様は、ブロック６０２、９０２、１２０２、１５０２、および／または（下記で説明される）２３０２に関して説明された機能のうちの１つまたは複数を含む場合がある。
【０２３３】
[00255]一態様では、プロセッサ２０４および／または受信機２１２のうちの１つまたは複数は、ブロック１８０２に関して説明された機能のうちの１つまたは複数を実行するように構成され得る。一態様では、ウィンドウの開始時間を示すメッセージを受信するための手段は、受信機２１２を含む場合がある。別の態様では、プロセッサ２０４は、ブロック１８０２に関して上記で説明された機能のうちの１つまたは複数を実行するように構成され得る。一態様では、受信するための手段はプロセッサ２０４を含む場合がある。一態様では、受信されたメッセージを復号してウィンドウの開始時間を識別するための手段は、プロセッサ２０４を含む場合がある。受信されたメッセージを復号して時間期間を識別するための手段も、プロセッサ２０４を含む場合がある。いくつかの態様では、受信されたメッセージを復号するための手段は、メッセージを復号して、上記で説明された２つ以上の特定のデバイスを識別するように構成される。復号するための手段はまた、時間期間を復号して、その間に２つ以上の特定のデバイスがアクセスポイントと通信することを許可される時間を識別するように構成され得る。いくつかの態様では、復号するための手段は、受信されたメッセージを制限されたアクセスウィンドウのメッセージとして復号するように構成される。
【０２３４】
[00256]ブロック１８０４において、ワイヤレス通信ネットワーク上の通信は、メッセージに基づいて制限される。たとえば、いくつかの態様では、メッセージを受信するデバイスのデバイス識別子を識別するために、受信されたメッセージが復号された場合、受信デバイスは、メッセージによって識別された時間期間中に装置と通信することができる。たとえば、装置は、時間期間中にアクセスポイントにメッセージを送信することができる。代替として、受信デバイスがメッセージによって識別されない場合、そのデバイスは、識別された時間期間中にアクセスポイントと通信しないように決定することができる。
【０２３５】
[00257]同様に、受信デバイスが含まれていないデバイスの無制限のグループを受信されたメッセージが識別する場合、受信デバイスは、識別された時間期間中にメッセージを送信した装置と通信しない場合がある。代替として、デバイス識別子を介して具体的に、または受信デバイスがその一部であるデバイスのグループの識別情報を介して間接的にのいずれかで、受信デバイスがメッセージ内で識別されなかった場合、受信デバイスは、識別された時間期間中に受信されたメッセージを送信する装置と通信することができる。
【０２３６】
[00258]一態様では、プロセッサ２０４は、ブロック１８０４に関して上記で説明された機能のうちの１つまたは複数を実行するように構成され得る。一態様では、ワイヤレス通信ネットワーク上の通信を制限するための手段は、プロセッサ２０４を含む場合がある。一態様では、制限するための手段は、装置が受信されたメッセージによって識別されるかどうかを決定し、装置が識別された場合、時間期間中にアクセスポイントにメッセージを送信するように、さらに構成される。いくつかの態様では、制限するための手段は、装置が識別されなかった場合、時間期間中にアクセスポイントにメッセージを送信しないように、さらに構成される。
【０２３７】
[00259]プロセス１７００において生成する送信されたメッセージ、およびプロセス１８００において受信され復号されたメッセージは、様々な方法で構成され得る。図１９は、特定のデバイスまたはデバイスの無制限のグループを識別するメッセージの一実装形態を示す。メッセージ１９００は、図１７に関して上述されたように、ＡＰから関連するワイヤレスステーションに送信され得る。たとえば、メッセージ１９００、またはメッセージ１９００と実質的に同様のメッセージは、ブロック１７０２において生成され得るし、ブロック１７０４において送信され得る。同様に、メッセージ１９００、またはメッセージ１９００と実質的に同様のメッセージは、ブロック１８０２において受信および／または復号され得る。メッセージ１９００は、ＡＰからステーションへの送信に適した任意のプロセスと方法とを使用して送信され得る。
【０２３８】
[00260]例示的な実装形態では、メッセージは、８０２．１１ａｈプロトコルにおいて指定されたものなどの、制限されたアクセスウィンドウと、アクセスポイントがワイヤレスステーションの選択されたグループ用に確保されたものとして宣言する時間の期間とを定義する。メッセージは、制限されたアクセスウィンドウの開始時間を示すＲＡＷ開始時間７０２を含む。メッセージはまた、制限されたアクセスウィンドウの持続時間を示すＲＡＷ持続時間７０４を含む。メッセージはまた、制限されたアクセスウィンドウの間にアクセスポイントにパケットを送ることを許可された、ワイヤレスステーションの選択されたグループを列挙するグループＩＤ７０６を含む。
【０２３９】
[00261]加えて、メッセージは、特定のステーションを示すためのフィールド１９０８を含む。図示された態様では、フィールド１９０８によって識別される特定のステーションは、制限されたアクセスウィンドウによって識別された時間期間中にアクセスポイントと通信することを許可される。
【０２４０】
[00262]メッセージ１９００のいくつかの態様では、メッセージは、制限されたアクセスウィンドウの期間中に制限されたアクセスを許可されたステーションのＡＩＤを示すグループサブフィールドを含む場合がある。いくつかの態様では、グループサブフィールドは、ページインデックスと、制限されたアクセスウィンドウの期間中にアクセスを許可されたステーションのもの用の開始ＡＩＤと、制限されたアクセスウィンドウの期間中にアクセスを許可されたステーション用の終了ＡＩＤとを含む場合がある。これらの態様では、ＡＩＤの階層型アドレス指定方法に従って、開始ＡＩＤと終了ＡＩＤとの間のＡＩＤ、または開始ＡＩＤと終了ＡＩＤとを含むＡＩＤを有する任意のステーションは、制限されたアクセスウィンドウの期間中のアクセスを許可される。このようにして、制限されたアクセスウィンドウの期間中のアクセスを許可され得るステーションの数は無制限である。
【０２４１】
[00263]図２０は、一実装形態によるワイヤレス通信の方法のフローチャートである。方法２０００は、（図１に示された）アクセスポイント（ＡＰ）１０４などの、ワイヤレス通信用の装置によって実施され得る。方法２０００により、ワイヤレスネットワーク上の複数のグループに関連付けられたステーションがスリープ状態に入るための改善された能力がもたらされ得る。たとえば、前の方法を用いて、ワイヤレスネットワーク上の複数のグループに関連付けられたステーションは、ステーションが関連付けられたグループの各々に関連付けられた目標起床時間中に起きネットワークトラフィックをリッスンしたままになることができる。
【０２４２】
[00264]ブロック２００２で、方法は、目標起床時間と目標起床時間用の識別子とを含むメッセージを送信することを含む。一態様では、メッセージは目標起床時間情報要素（ＴＷＴ  ＩＥ）である（またはそれを含む）。
【０２４３】
[00265]一態様では、送信機２１０は、ブロック２００２に関して説明された機能のうちの１つまたは複数を実行するように構成され得る。一態様では、目標起床時間と目標起床時間用の識別子とを含むメッセージを送信するための手段は、送信機２１０である。別の態様では、プロセッサ２０４は、ブロック２００２に関して上記で説明された機能のうちの１つまたは複数を実行するように構成され得る。一態様では、目標起床時間と目標起床時間用の識別子とを含むメッセージを送信するための手段は、プロセッサ２０４を含む場合がある。
【０２４４】
[00266]ブロック２００４において、目標起床時間用の識別子を含むページングメッセージが送信される。一態様では、送信機２１０は、ブロック２００４に関して説明された機能のうちの１つまたは複数を実行するように構成され得る。一態様では、目標起床時間と目標起床時間用の識別子とを含むメッセージを送信するための手段は、送信機２１０を含む場合がある。一態様では、ページングメッセージを送信するための手段は、送信機２１０を含む場合がある。別の態様では、プロセッサ２０４は、ブロック２００４に関して上記で説明された機能のうちの１つまたは複数を実行するように構成され得る。一態様では、ページングメッセージを送信するための手段は、プロセッサ２０４を含む場合がある。
【０２４５】
[00267]図２１は、一実装形態によるワイヤレス通信の方法のフローチャートである。方法２１００は、（図１に示された）ステーション１０６または図２に示されたワイヤレスデバイス２０２などの、ワイヤレス通信用の装置によって実施され得る。一態様では、方法２１００により、ステーションが上記で説明された方法２０００を実施するアクセスポイントと相互動作することが可能になり得る。ブロック２１０２で、方法は、目標起床時間と目標起床時間用の識別子とを示すメッセージを受信することを含む。一態様では、メッセージは目標起床時間情報要素（ＴＷＴ  ＩＥ）である（またはそれを含む）。一態様では、受信機２１２は、ブロック２１０２に関して説明された機能のうちの１つまたは複数を実行するように構成され得る。一態様では、目標起床時間と目標起床時間用の識別子とを示すメッセージを受信するための手段は、受信機２１２を含む場合がある。別の態様では、プロセッサ２０４は、ブロック２１０２に関して上記で説明された機能のうちの１つまたは複数を実行するように構成され得る。一態様では、受信するための手段はプロセッサ２０４を含む場合がある。
【０２４６】
[00268]ブロック２１０４において、目標起床時間用の識別子を示すページングメッセージが受信される。いくつかの態様では、ブロック２１０４は、ページングメッセージを復号して識別子を決定することを含む場合がある。一態様では、受信機２１２は、ブロック２１０４に関して説明された１つまたは複数の機能を実行するように構成され得る。一態様では、目標起床時間用の識別子を示すページングメッセージを受信するための手段は、受信機２１２を含む場合がある。別の態様では、プロセッサ２０４は、ブロック２１０４に関して上記で説明された機能のうちの１つまたは複数を実行するように構成され得る。一態様では、目標起床時間用の識別子を示すページングメッセージを受信するための手段のための手段は、プロセッサ２０４を含む場合がある。
【０２４７】
[00269]図２２は、一実装形態によるワイヤレス通信の方法のフローチャートである。方法２２００は、（図１に示された）アクセスポイント（ＡＰ）１０４または図２のワイヤレスデバイス２０２などの、ワイヤレス通信用の装置によって実施され得る。方法２２００により、第１のデバイスによって第２のデバイスに送信されるアップリンクトラフィックを管理する改善された能力がもたらされ得る。一態様では、第１のデバイスはステーションであり、第２のデバイスはアクセスポイントである。現在の方法では、目標起床時間のメッセージは、アップリンクトラフィックまたはダウンリンクトラフィックのいずれかを送信する機会を与えるものとして識別され得る。アップリンクトラフィックが送られる場合、アップリンクトラフィックの送信側（第１のデバイス）は、目標起床時間によって識別された送信間隔の間のデータ送信に送信要求メッセージを先行させる。それに応答して、送信可メッセージが第２のデバイスによって第１のデバイスに送信され得る。送信可メッセージを受信した後、アップリンクトラフィックの送信側はデータ転送を開始する。いくつかのネットワーク環境では、第２のデバイスは、送信要求／送信可メッセージの通信交換が必要ではないと決定する場合がある。これらのネットワーク環境では、方法２２００により、データの送信が開始される前に送信要求メッセージが必要とされないことを、第２のデバイスが第１のデバイスに示すための能力がもたらされる。これにより、ワイヤレス通信ネットワークの動作の効率が改善される。
【０２４８】
[00270]ブロック２２０２で、方法は、目標起床時間とアップリンク方向インジケータとを示すメッセージを生成することを含み、メッセージは、アップリンクデータを送信する前に送信要求メッセージが送信されるべきかどうかをさらに示す。ブロック２２０２のいくつかの態様は、ブロック５０２、８０２、１１０２、１４０２、および／または１７０２に関して説明された機能のうちの１つまたは複数を実行することができる。
【０２４９】
[00271]一態様では、プロセッサ２０４は、ブロック２２０２に関して説明された１つまたは複数の機能を実行するように構成され得る。一態様では、目標起床時間とアップリンク方向インジケータとを示すメッセージを生成するための手段は、プロセッサ２０４を含む場合がある。ブロック２２０４において、生成されたメッセージが送信される。一態様では、送信機２１０は、ブロック２２０４に関して上記で説明された機能のうちの１つまたは複数を実行するように構成される。一態様では、生成されたメッセージを送信するための手段は、送信機２１０を含む場合がある。別の態様では、プロセッサ２０４は、ブロック２２０４に関して上記で説明された機能のうちの１つまたは複数を実行するように構成され得る。一態様では、生成されたメッセージを送信するための手段は、プロセッサ２０４を含む場合がある。
【０２５０】
[00272]図２３は、一実装形態によるワイヤレス通信の方法のフローチャートである。方法２３００は、（図１に示された）ステーション１０６などの、ワイヤレス通信用の装置によって実施され得る。一態様では、方法２３００により、ステーションが上記で説明された方法２２００を実施するアクセスポイントと相互動作することが可能になり得る。ブロック２３０２で、方法は、目標起床時間とアップリンク方向インジケータとを示すメッセージを受信することを含み、メッセージは、アップリンクデータを送信する前に送信要求メッセージが送信されるべきかどうかをさらに示す。ブロック２３０２のいくつかの態様は、ブロック６０２、９０２、１２０２、１５０２、および／または１８０２に関して説明された機能のうちの１つまたは複数を実行することができる。
【０２５１】
[00273]一態様では、受信機２１２は、ブロック２３０２に関して説明された機能のうちの１つまたは複数を実行するように構成され得る。一態様では、目標起床時間とアップリンク方向インジケータとを示すメッセージを受信するための手段は、受信機２１２を含む。別の態様では、プロセッサ２０４は、ブロック２３０２に関して上記で説明された機能のうちの１つまたは複数を実行するように構成され得る。一態様では、受信するための手段はプロセッサ２０４を含む場合がある。
【０２５２】
[00274]ブロック２３０４において、アップリンクデータを送信する前に送信要求メッセージが送信されるべきことをメッセージが示すかどうかに基づいて、送信要求メッセージが送信される。一態様では、送信機２１０は、ブロック２３０４に関して上記で説明された機能のうちの１つまたは複数を実行するように構成され得る。一態様では、送信要求メッセージを送信するための手段は、送信機２１０を含む場合がある。別の態様では、プロセッサ２０４は、ブロック２３０４に関して上記で説明された機能のうちの１つまたは複数を実行するように構成され得る。一態様では、送信要求メッセージを送信するための手段は、プロセッサ２０４を含む場合がある。
【０２５３】
[00275]上記の実装形態のうちのいくつかでは、アクセスポイントからのメッセージは、８０２．１１ａｈプロトコルにおいて指定されたものなどの、制限されたアクセスウィンドウと、アクセスポイントがワイヤレスステーションの選択されたグループ用に確保されたものとして宣言する時間の期間とを指定する。代替として、メッセージは、その間に媒体へのアクセスがすべてのワイヤレスステーションに許可されるアクセスウィンドウを指定する場合がある。言い換えれば、アクセスポイントは、アクセスウィンドウの間すべてのワイヤレスステーションからのパケットを受け入れる。一実装形態では、メッセージは、フラグ７０８（図７参照）などの、アクセスウィンドウ外のアクセスがないことを示すためのフラグをさらに含む場合がある。これにより、アクセスポイントがアクセスポイント用のアクティブな時間の期間とアクティブでない時間の期間とを定義することが可能になる。
【０２５４】
[00276]本明細書で使用する「決定すること」という用語は、多種多様なアクションを包含する。たとえば、「決定すること」は、計算すること、算出すること、処理すること、導出すること、調査すること、探索すること（たとえば、テーブル、データベース、または別のデータ構造の中で探索すること）、確認することなどを含む場合がある。また、「決定すること」は、受信すること（たとえば、情報を受信すること）、アクセスすること（たとえば、メモリ内のデータにアクセスすること）などを含む場合がある。また、「決定すること」は、解決すること、選択すること、選定すること、確立することなどを含む場合がある。さらに、本明細書で使用する「チャネル幅」は、いくつかの態様では帯域幅を包含する場合があるか、または帯域幅と呼ばれる場合もある。
【０２５５】
[00277]本明細書で使用する、項目のリスト「のうちの少なくとも１つ」を指すフレーズは、単一のメンバを含む、それらの項目の任意の組合せを指す。一例として、「ａ、ｂ、またはｃのうちの少なくとも１つ」は、ａと、ｂと、ｃと、ａ−ｂと、ａ−ｃと、ｂ−ｃと、ａ−ｂ−ｃとを包含するものとする。
【０２５６】
[00278]上述された方法の様々な動作は、様々なハードウェア構成要素および／もしくはソフトウェア構成要素、回路、ならびに／またはモジュールなどの、それらの動作を実行することが可能な任意の適切な手段によって実行され得る。一般に、図に示された任意の動作は、その動作を実行することが可能な対応する機能的手段によって実行され得る。
【０２５７】
[00279]本開示に関して記載された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス（ＰＬＤ）、個別ゲートもしくはトランジスタ論理、個別ハードウェア構成要素、または本明細書に記載された機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成として実装され得る。
【０２５８】
[00280]１つまたは複数の態様では、記載された機能は、ハードウェア、ソフトウェア、ファームウェア、またはそれらの任意の組合せに実装され得る。ソフトウェアに実装される場合、機能は、１つまたは複数の命令またはコードとして、コンピュータ可読媒体上に記憶され得るか、またはコンピュータ可読媒体を介して送信され得る。コンピュータ可読媒体は、ある場所から別の場所へのコンピュータプログラムの転送を容易にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気記憶デバイス、または、命令もしくはデータ構造の形態の所望のプログラムコードを搬送もしくは記憶するために使用され得るし、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（ｄｉｓｋ）およびディスク（ｄｉｓｃ）は、コンパクトディスク（ｄｉｓｃ）（ＣＤ）、レーザーディスク（登録商標）（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルーレイ（登録商標）ディスク（ｄｉｓｃ）を含み、ディスク（ｄｉｓｋ）は、通常、データを磁気的に再生し、ディスク（ｄｉｓｃ）は、データをレーザーで光学的に再生する。したがって、いくつかの態様では、コンピュータ可読媒体は、非一時的コンピュータ可読媒体（たとえば、有形媒体）を備える場合がある。加えて、いくつかの態様では、コンピュータ可読媒体は、一時的コンピュータ可読媒体（たとえば、信号）を備える場合がある。上記の組合せもコンピュータ可読媒体の範囲内に含まれるべきである。
【０２５９】
[00281]本明細書で開示された方法は、記載された方法を実現するための１つまたは複数のステップまたはアクションを備える。方法のステップおよび／またはアクションは、特許請求の範囲から逸脱することなく互いに交換され得る。言い換えれば、ステップまたはアクションの具体的な順序が指定されない限り、具体的なステップおよび／またはアクションの順序および／または使用は、特許請求の範囲から逸脱することなく修正され得る。
【０２６０】
[00282]記載された機能は、ハードウェア、ソフトウェア、ファームウェア、またはそれらの任意の組合せに実装され得る。ソフトウェアに実装される場合、機能は１つまたは複数の命令としてコンピュータ可読媒体上に記憶され得る。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気記憶デバイス、または、命令もしくはデータ構造の形態の所望のプログラムコードを搬送もしくは記憶するために使用され得るし、コンピュータによってアクセスされ得る、任意の他の媒体を備えることができる。本明細書で使用するディスク（ｄｉｓｋ）およびディスク（ｄｉｓｃ）は、コンパクトディスク（ｄｉｓｃ）（ＣＤ）、レーザーディスク（ｄｉｓｃ）、光ディスク（ｄｉｓｃ）、デジタル多用途ディスク（ｄｉｓｃ）（ＤＶＤ）、フロッピーディスク（ｄｉｓｋ）、およびブルーレイディスク（ｄｉｓｃ）（登録商標）を含み、ディスク（ｄｉｓｋ）は、通常、データを磁気的に再生し、ディスク（ｄｉｓｃ）は、データをレーザーで光学的に再生する。
【０２６１】
[00283]したがって、いくつかの態様は、本明細書で提示された動作を実行するためのコンピュータプログラム製品を備える場合がある。たとえば、そのようなコンピュータプログラム製品は、本明細書に記載された動作を実行するために、１つまたは複数のプロセッサによって実行可能である命令を記憶した（かつ／または符号化した）コンピュータ可読媒体を備える場合がある。いくつかの態様では、コンピュータプログラム製品はパッケージング材料を含む場合がある。
【０２６２】
[00284]ソフトウェアまたは命令はまた、伝送媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【０２６３】
[00285]さらに、本明細書に記載された方法および技法を実施するためのモジュールおよび／または他の適切な手段は、適用可能な場合ユーザ端末および／または基地局によってダウンロードされ得るし、かつ／または場合によっては取得され得ることを諒解されたい。たとえば、本明細書に記載された方法を実施するための手段の転送を容易にするために、そのようなデバイスはサーバに結合される場合がある。代替として、本明細書に記載された様々な方法は、ユーザ端末および／または基地局が記憶手段をデバイスに結合するか、または提供すると様々な方法を取得することができるように、記憶手段（たとえば、ＲＡＭ、ＲＯＭ、コンパクトディスク（ＣＤ）またはフロッピーディスクなどの物理記憶媒体など）を介して提供され得る。その上、本明細書に記載された方法および技法をデバイスに提供するための任意の他の適切な技法が利用され得る。
【０２６４】
[00286]特許請求の範囲は、上記に示された厳密な構成および構成要素に限定されないことを理解されたい。特許請求の範囲から逸脱することなく、上述された方法および装置の構成、動作、および詳細において、様々な修正、変更、および変形が行われ得る。
【０２６５】
[00287]上記は本開示の態様を対象とするが、本開示の他の態様およびさらなる態様は、その基本的範囲から逸脱することなく考案され得るし、その範囲は以下の特許請求の範囲によって決定される。
以下に、出願当初の特許請求の範囲に記載された発明を付記する。
［Ｃ１］
装置により、その間に前記装置が１つまたは複数のワイヤレスデバイスとデータを通信するべき時間期間を識別する、制限されたアクセスウィンドウ（ＲＡＷ）のメッセージを生成することと、前記メッセージは、前記時間期間中のワイヤレス通信の流れ方向を示すインジケータをさらに備える、
前記装置により、前記生成されたメッセージを送信することと
を備える、ワイヤレス通信用の方法。
［Ｃ２］
前記インジケータが、前記時間期間中に通信された前記データがアップリンクデータかダウンリンクデータかを示す、Ｃ１に記載の方法。
［Ｃ３］
前記インジケータが、前記時間期間中に通信された前記データがアップリンクデータか、ダウンリンクデータか、または双方向データかを示す、Ｃ１に記載の方法。
［Ｃ４］
前記時間期間中に通信されたアップリンクデータとダウンリンクデータとの間の優先順位を示す優先順位インジケータを備えるように、前記制限されたアクセスウィンドウのメッセージを生成することをさらに備える、Ｃ１に記載の方法。
［Ｃ５］
前記ワイヤレス通信の流れ方向のインジケータが、１ビットまたは２ビットのビット長を有する、Ｃ１に記載の方法。
［Ｃ６］
前記時間期間が目標起床時間（ＴＷＴ）を識別する、Ｃ１に記載の方法。
［Ｃ７］
開始時間インジケータと持続時間インジケータとを備えるように、前記制限されたアクセスウィンドウ（ＲＡＷ）のメッセージを生成することをさらに備え、ここにおいて、前記開始時間インジケータが前記ＲＡＷの開始時間を示し、前記持続時間インジケータが前記ＲＡＷの持続時間を示す、Ｃ１に記載の方法。
［Ｃ８］
その間に装置が１つまたは複数のワイヤレスデバイスとデータを通信するべき時間期間を識別する、制限されたアクセスウィンドウ（ＲＡＷ）のメッセージを生成するように構成された処理システムと、前記メッセージは、前記時間期間中のワイヤレス通信の流れ方向を示すインジケータを備えるようにさらに生成される、
前記生成されたメッセージを送信するように構成された送信機と
を備える、ワイヤレス通信用の装置。
［Ｃ９］
前記インジケータが、前記時間期間中に通信された前記データがアップリンクデータかダウンリンクデータかを示す、Ｃ８に記載の装置。
［Ｃ１０］
前記インジケータが、前記時間期間中に通信された前記データがアップリンクデータか、ダウンリンクデータか、または双方向データかを示す、Ｃ８に記載の装置。
［Ｃ１１］
前記時間期間中に通信されたアップリンクデータおよびダウンリンクデータの優先順位を示す優先順位インジケータを備えるように、前記制限されたアクセスウィンドウのメッセージを生成するように、前記処理システムがさらに構成された、Ｃ８に記載の装置。
［Ｃ１２］
前記ワイヤレス通信の流れ方向のインジケータが、１ビットまたは２ビットのいずれかのビット長を有する、Ｃ８に記載の装置。
［Ｃ１３］
前記時間期間が目標起床時間（ＴＷＴ）を識別する、Ｃ８に記載の装置。
［Ｃ１４］
開始時間インジケータと持続時間インジケータとを備えるように、前記制限されたアクセスウィンドウ（ＲＡＷ）のメッセージを生成するように、前記処理システムがさらに構成され、ここにおいて、前記開始時間インジケータが前記ＲＡＷの開始時間を示し、前記持続時間インジケータが前記ＲＡＷの持続時間を示す、Ｃ８に記載の装置。
［Ｃ１５］
装置により、その間に第１のデバイスが１つまたは複数の第２のデバイスとデータを通信する時間期間を識別する、制限されたアクセスウィンドウ（ＲＡＷ）のメッセージを受信することと、前記メッセージは、ワイヤレス通信の流れ方向を示すインジケータをさらに備える、
前記装置により、前記ワイヤレス通信の流れ方向のインジケータに基づいて、前記第１のデバイスとデータを通信することと
を備える、ワイヤレス通信の方法。
［Ｃ１６］
前記制限されたアクセスウィンドウ（ＲＡＷ）のメッセージを復号して、通信された前記データがアップリンクデータかダウンリンクデータかを決定することをさらに備える、Ｃ１５に記載の方法。
［Ｃ１７］
前記制限されたアクセスウィンドウ（ＲＡＷ）のメッセージを復号して、通信された前記データがアップリンクデータか、ダウンリンクデータか、または双方向データかを決定することをさらに備える、Ｃ１５に記載の方法。
［Ｃ１８］
前記制限されたアクセスウィンドウのメッセージ（ＲＡＷ）を復号して、前記時間期間中に通信されたアップリンクデータおよびダウンリンクデータの優先順位を決定することをさらに備える、Ｃ１５に記載の方法。
［Ｃ１９］
１ビットまたは２ビットのいずれかの前記受信されたＲＡＷメッセージに基づいて、前記ワイヤレス通信の流れ方向のインジケータを復号することをさらに備える、Ｃ１５に記載の方法。
［Ｃ２０］
前記時間期間が目標起床時間（ＴＷＴ）を識別する、Ｃ１５に記載の方法。
［Ｃ２１］
前記制限されたアクセスウィンドウのメッセージに基づいて、前記ＲＡＷの開始時間と前記ＲＡＷの持続時間とを復号することをさらに備える、Ｃ１５に記載の方法。
［Ｃ２２］
その間に第１のデバイスが１つまたは複数の第２のデバイスとデータを通信するべき時間期間を識別する、制限されたアクセスウィンドウ（ＲＡＷ）のメッセージを受信するように構成された処理システムを備える、
ワイヤレス通信用の装置であって、前記メッセージが、前記時間期間中のワイヤレス通信の流れ方向を示すインジケータをさらに備え、
ここにおいて、前記処理システムが、前記ワイヤレス通信の流れ方向のインジケータに基づいて、前記第１のデバイスとデータを通信するようにさらに構成された、
装置。
［Ｃ２３］
前記処理システムが、前記制限されたアクセスウィンドウのメッセージを復号して、通信された前記データがアップリンクデータかダウンリンクデータかを決定するようにさらに構成された、Ｃ２２に記載の装置。
［Ｃ２４］
前記処理システムが、前記制限されたアクセスウィンドウのメッセージを復号して、通信された前記データがアップリンクデータか、ダウンリンクデータか、または双方向データかを決定するようにさらに構成された、Ｃ２２に記載の装置。
［Ｃ２５］
前記処理システムが、前記制限されたアクセスウィンドウのメッセージを復号して、前記時間期間中に通信されたアップリンクデータおよびダウンリンクデータの優先順位を決定するようにさらに構成された、Ｃ２２に記載の装置。
［Ｃ２６］
前記処理システムが、１ビットまたは２ビットのいずれかの前記受信されたメッセージに基づいて、前記ワイヤレス通信の流れ方向のインジケータを復号するようにさらに構成された、Ｃ２２に記載の装置。
［Ｃ２７］
前記時間期間が目標起床時間（ＴＷＴ）を識別する、Ｃ２２に記載の装置。
［Ｃ２８］
前記処理システムが、前記制限されたアクセスウィンドウのメッセージに基づいて、前記ＲＡＷの開始時間と前記ＲＡＷの持続時間とを復号するようにさらに構成された、Ｃ２２に記載の装置。
【図１】
0006275740.tif 000002
【図２】
0006275740.tif 000003
【図３】
0006275740.tif 000004
【図４】
0006275740.tif 000005
【図５】
0006275740.tif 000006
【図６】
0006275740.tif 000007
【図７】
0006275740.tif 000008
【図８】
0006275740.tif 000009
【図９】
0006275740.tif 000010
【図１０】
0006275740.tif 000011
【図１１】
0006275740.tif 000012
【図１２】
0006275740.tif 000013
【図１３】
0006275740.tif 000014
【図１４】
0006275740.tif 000015
【図１５】
0006275740.tif 000016
【図１６】
0006275740.tif 000017
【図１７】
0006275740.tif 000018
【図１８】
0006275740.tif 000019
【図１９】
0006275740.tif 000020
【図２０】
0006275740.tif 000021
【図２１】
0006275740.tif 000022
【図２２】
0006275740.tif 000023
【図２３】
0006275740.tif 000024